(57)【特許請求の範囲】
【請求項１】
患者の脊椎で使用するための脊椎移植片装置であって、
前記患者の前記脊椎への側方アプローチを用いて、第一の椎体と第二の椎体の間に、挿入するために構成された椎体間脊椎移植片であって、前記椎体間脊椎移植片は、前記第一の椎体にかみ合うように構成された、第一の骨嵌合表面と、前記第二の椎体にかみ合うように構成された、反対側の第二の骨嵌合表面を有する、移植片、
外表面を有する軸を有する第一の骨ねじであって、前記第一の骨ねじの前記軸の前記外表面は、前記第一の椎体にかみ合うように構成されたねじ山を有し、前記第一の骨ねじは、前記椎体間脊椎移植片の前記第一の骨嵌合表面にかみ合うように構成された先端を有する遠位端および、ヘッドを有する近位端を有し、前記第一の骨ねじは、前記近位端から前記遠位端に延びる長軸を有し、前記第一の骨ねじは、前記第一の骨ねじが、後方アプローチから、前記椎体間脊椎移植片の前記第一の骨嵌合表面にかみ合うように、前記患者の前記脊椎に挿入されたときに、前記第一の骨ねじの前記ヘッドが、前記第一の椎体の一つの面の後ろになるような、前記先端から前記ヘッドまでの長さを有する、第一の骨ねじ、ならびに
外表面を有する軸を有する第二の骨ねじであって、前記第二の骨ねじの前記軸の前記外表面は、前記第二の椎体にかみ合うように構成されたねじ山を有し、前記第二の骨ねじは、前記椎体間脊椎移植片の前記第二の骨嵌合表面にかみ合うように構成された先端を有する遠位端および、ヘッドを有する近位端を有し、前記第二の骨ねじは、前記近位端から前記遠位端に延びる長軸を有し、前記第二の骨ねじは、前記第二の骨ねじが、後方アプローチから、前記椎体間脊椎移植片の前記第二の骨嵌合表面にかみ合うように、前記患者の前記脊椎に挿入されたときに、前記第二の骨ねじの前記ヘッドが、前記第二の椎体の一つの面の後ろになるような、前記先端から前記ヘッドまでの長さを有する、第二の骨ねじ、を含み、
外表面を有する軸を有する第三の骨ねじをさらに含み、前記軸の前記外表面は、前記第一の椎体にかみ合うように構成されたねじ山を有し、前記第三の骨ねじは、先端を有する遠位端および、ヘッドを有する近位端を有し、前記第三の骨ねじは、前記近位端から前記遠位端に延びる長軸を有し、前記第三の骨ねじの前記先端は、前記椎体間脊椎移植片内に延びるように構成され、前記第三の骨ねじは、前記骨ねじが、後方アプローチから、前記患者の前記脊椎へ、前記椎体間脊椎移植片内へ挿入されたときに、前記第一の骨ねじの前記ヘッドが、前記第一の椎体の前記一つの面の後方になるような、前記先端から前記ヘッドまでの長さを有する、脊椎移植片装置。
【請求項２】
前記椎体間脊椎移植片が、挿入端および、反対側の後端を有し、前記第一の骨ねじは、前記第一の骨ねじの前記近位端が、前記椎体間脊椎移植片の前記後端の方より、前記椎体間脊椎移植片の前記挿入端の方により近くなるように向くように、前記椎体間脊椎移植片にかみ合っている、請求項１記載の脊椎移植片装置。
【請求項３】
前記第二の骨ねじが、前記第二の骨ねじの前記近位端が、前記椎体間脊椎移植片の前記後端の方より、前記椎体間脊椎移植片の前記挿入端の方により近くなるように向くように、前記椎体間脊椎移植片にかみ合っている、請求項２記載の脊椎移植片装置。
【請求項４】
外表面を有する軸を有する第四の骨ねじをさらに含み、前記軸の前記外表面は、前記第二の椎体にかみ合うように構成されたねじ山を有し、前記第四の骨ねじは、先端を有する遠位端および、ヘッドを有する近位端を有し、前記第四の骨ねじは、前記近位端から前記遠位端に延びる長軸を有し、前記第四の骨ねじの前記先端は、前記椎体間脊椎移植片内に延びるように構成され、前記第四の骨ねじは、前記骨ねじが、後方アプローチから、前記患者の前記脊椎へ、前記椎体間脊椎移植片内へ挿入されたときに、前記第二の骨ねじの前記ヘッドが、前記第二の椎体の前記一つの面の後方になるような、前記先端から前記ヘッドまでの長さを有する、請求項１記載の脊椎移植片装置。
【請求項５】
前記第一の骨ねじの長さが、前記挿入端から前記反対の後端へ測った前記椎体間脊椎移植片の長さよりも長い、請求項１記載の脊椎移植片装置。
【請求項６】
前記椎体間脊椎移植片が、前記第一の骨嵌合表面と前記第二の骨嵌合表面を通って、かつその間に延びる開口を有する、椎体間脊椎固定移植片である、請求項１記載の脊椎移植片装置。
【請求項７】
前記第一の骨ねじが、前記ヘッドの部分にかみ合う道具を含む、請求項１記載の脊椎移植片装置。
【請求項８】
前記第一の骨ねじが、カニューレ状であり、前記第一の骨ねじの前記遠位端に開口を有し、前記カニューレ状の第一の骨ねじは、そこを通ってかつ前記椎体間脊椎移植片の中への、骨用セメント、骨成長材料、鎮痛剤、および抗炎症剤の一つの、ガイドワイヤーに沿った挿入か、そこへの送達のうちの一つのために構成された、請求項１記載の脊椎移植片装置。
【請求項９】
前記第一のカニューレ状の骨ねじを通って、前記椎体間脊椎移植片内への送達のために構成された、骨用セメント、骨成長材料、鎮痛剤、および抗炎症剤のうちの一つをさらに含む、請求項８記載の脊椎移植片装置。
【請求項１０】
前記カニューレ状のねじが、前記軸に沿って窓を有する、請求項８記載の脊椎移植片装置。
【請求項１１】
患者の脊椎で使用するための脊椎移植片装置であって、
前記患者の前記脊椎への側方アプローチを用いて、第一の椎体と第二の椎体の間に、挿入するために構成された椎体間脊椎移植片であって、前記椎体間脊椎移植片は、前記第一の椎体にかみ合うように構成された、第一の骨嵌合表面と、前記第二の椎体にかみ合うように構成された、反対側の第二の骨嵌合表面を有し、前記椎体間脊椎移植片は、挿入端と、反対側の後端を有する、移植片、
外表面を有する軸を有する第一の骨ねじであって、前記第一の骨ねじの前記軸の前記外表面は、前記第一の椎体にかみ合うように構成されたねじ山を有し、前記第一の骨ねじは、前記椎体間脊椎移植片の前記第一の骨嵌合表面にかみ合うように構成された先端を有する遠位端および、ヘッドを有する近位端を有し、前記第一の骨ねじは、前記近位端から前記遠位端に延びる長軸を有し、前記第一の骨ねじは、前記第一の骨ねじが、後方アプローチから、前記椎体間脊椎移植片の前記第一の骨嵌合表面にかみ合うように、前記患者の前記脊椎に挿入されたときに、前記第一の骨ねじの前記ヘッドが、前記第一の椎体の一つの面の後ろになるような、前記先端から前記ヘッドまでの長さを有する、第一の骨ねじ、
外表面を有する軸を有する第二の骨ねじであって、前記第二の骨ねじの前記軸の前記外表面は、前記第二の椎体にかみ合うように構成されたねじ山を有し、前記第二の骨ねじは、前記椎体間脊椎移植片の前記第二の骨嵌合表面にかみ合うように構成された先端を有する遠位端および、ヘッドを有する近位端を有し、前記第二の骨ねじは、前記近位端から前記遠位端に延びる長軸を有し、前記第二の骨ねじは、前記第二の骨ねじが、後方アプローチから、前記椎体間脊椎移植片の前記第二の骨嵌合表面にかみ合うように、前記患者の前記脊椎に挿入されたときに、前記第二の骨ねじの前記ヘッドが、前記第二の椎体の一つの面の後ろになるような、前記先端から前記ヘッドまでの長さを有する、第二の骨ねじ、
外表面を有する軸を有する第三の骨ねじであって、前記第三の骨ねじの前記軸の前記外表面は、前記第一の椎体にかみ合うように構成されたねじ山を有し、前記第三の骨ねじは、先端を有する遠位端および、ヘッドを有する近位端を有し、前記第三の骨ねじは、前記近位端から前記遠位端に延びる長軸を有し、前記第三の骨ねじの前記先端は、前記椎体間脊椎移植片内に延びるように構成され、前記第三の骨ねじは、前記第三の骨ねじが、後方アプローチから、前記患者の前記脊椎へ、前記椎体間脊椎移植片内へ挿入されたときに、前記第一の骨ねじの前記ヘッドが、前記第一の椎体の前記一つの面の後ろになるような、前記先端から前記ヘッドまでの長さを有する、第三の骨ねじ、ならびに
外表面を有する軸を有する第四の骨ねじであって、前記第四の骨ねじの前記軸の前記外表面は、前記第二の椎体にかみ合うように構成されたねじ山を有し、前記第四の骨ねじは、先端を有する遠位端および、ヘッドを有する近位端を有し、前記第四の骨ねじは、前記近位端から前記遠位端に延びる長軸を有し、前記第四の骨ねじの前記先端は、前記椎体間脊椎移植片内に延びるように構成され、前記第四の骨ねじは、前記第四の骨ねじが、後方アプローチから、前記患者の前記脊椎へ、前記椎体間脊椎移植片内へ挿入されたときに、前記第二の骨ねじの前記ヘッドが、前記第二の椎体の前記一つの面の後ろになるような、前記先端から前記ヘッドまでの長さを有する、第四の骨ねじ、を含む、脊椎移植片装置。
【請求項１２】
前記椎体間脊椎移植片が、挿入端および、反対側の後端を有し、前記第一の骨ねじは、前記第一の骨ねじの前記近位端が、前記椎体間脊椎移植片の前記後端の方より、前記椎体間脊椎移植片の前記挿入端の方により近くなるように向くように、前記椎体間脊椎移植片にかみ合っており、前記第二の骨ねじは、前記第二の骨ねじの前記近位端が、前記椎体間脊椎移植片の前記後端の方より、前記椎体間脊椎移植片の前記挿入端の方により近くなるように向くように、前記椎体間脊椎移植片にかみ合っている、請求項１１記載の脊椎移植片装置。
【請求項１３】
前記第一の骨ねじ、第二の骨ねじ、第三の骨ねじ、および第四の骨ねじの長さがそれぞれ、前記挿入端から前記反対の後端へ測った前記椎体間脊椎移植片の長さよりも長い、請求項１１記載の脊椎移植片装置。
【請求項１４】
前記第一の骨ねじが、カニューレ状であり、前記第一の骨ねじの前記遠位端に開口を有し、前記カニューレ状の第一の骨ねじは、そこを通ってかつ前記椎体間脊椎移植片の中への、骨用セメント、骨成長材料、鎮痛剤、および抗炎症剤の一つの、ガイドワイヤーに沿った挿入か、そこへの送達のうちの一つのために構成され、かつ、前記第一のカニューレ状の骨ねじを通って、前記椎体間脊椎移植片内への送達のために構成された、骨用セメント、骨成長材料、鎮痛剤、および抗炎症剤のうちの一つをさらに含む、請求項１１記載の脊椎移植片装置。
【発明の詳細な説明】
【技術分野】
【０００１】
本開示は、一般に、筋骨格障害の治療のための医療装置に関し、より詳細には、人間の脊椎に操作を施し、外科的に治療するために、複数の外科的経路を利用する外科的システムに関する。
【背景技術】
【０００２】
１８００年代後半から、整形外科手術が、患者の骨の構造を矯正し安定させるために行われてきた。整形外科手術の大半が、ひざおよび腰に行われ続ける一方、脊椎への処置が、１９８０年代から増えてきており、アプローチおよび処置の数が拡大し続けている。ロッド、プレート、ねじ、フック、および椎体間固定スペーサーが、（脊柱側弯症等の）奇形、腫瘍、外傷、または退行性症状の問題に対処するために、患者の脊椎を整列させ安定させるのに現在使用されている移植片の例である。
【０００３】
最初は、外科医は、単一の切開部から、後方アプローチで患者を治療していた。この配置では、患者は、うつぶせの（患者のおなかを下にした）姿勢になり得、外科医は、患者の背中に切開を形成する。矯正は、そのアプローチから機器および移植片を使用してなされ、移植片は、所定の場所に挿入される、および／またはロックされ、切開部は閉じられた。
【０００４】
その後まもなく、前方アプローチが使用され始めた。前方アプローチによると、患者はあおむけの（背中を下にした）姿勢になり、切開は、矯正がなされる必要があるところに即して、腹部に形成され得る。後方アプローチでは、外科医は、単に筋肉組織を横切るだけだが、前方アプローチでは、外科医は、患者の内臓および血管構造の近くで／に反して作業するので、このアプローチは、新しい挑戦である。前方アプローチの利点は、脊椎の前柱が、第一の荷重負荷部材であり、直接前側に向かうことは、外科医が、後方単純アプローチによる、より大きい矯正を加えることが可能になると考えられていることである。
【０００５】
側方アプローチも、検討され使用されてきた。側面アプローチでは、患者は、典型的に、側臥位の（例えば、側面を下にした）姿勢になり、切開は、前方アプローチでは前側であるのに対し、側面から直接前方脊柱に進むように形成される。臓器は、「前に倒れる」傾向があり、外科医の視界から前方に動くので、これは、臓器を避ける。しかし、側方アプローチは、また、腰筋に向かう必要があり得、腰筋内には、神経線維の束が収容されており、これらは、術後の合併症を最小限にするために避けるべきである。したがって、側方アプローチは、神経統合モニターの出現まではあまり使用されなかった。神経統合モニターは、外科医が、電子機器により、側方アプローチ中にこれらの神経にどれだけ近いかを監視するのを可能にする。側方アプローチには、生理学的限界もある。肋骨および骨盤が、上腰部の上または、第三または第四腰椎の下のレベルに容易に接近するのを阻む。しかし、大きい耐荷重の椎体間移植片を置くことができるので、側方処置は、その難しさにもかかわらず、魅力的であった。
【０００６】
最近、斜めアプローチが利用されてきた。患者は、やはり側臥位の姿勢になり得るが、真の側面直交切線よりむしろ、外科医は、斜角から、または脊柱前方に「傾いて」、前方に接近する。これは、適切なディスクに接近でき、また、依然として、内臓との格闘を避けながら、腰筋（および隠れた神経構造）に接触するのを避ける。
【０００７】
最後に、上記のいかなる処置も、一緒に組み合わせて使用され得る。例えば、外科医は、前方侵入椎体固定術（Ｏｂｌｉｑｕｅ  Ｌｕｍｂａｒ  Ｉｎｔｅｒｂｏｄｙ  Ｆｕｓｉｏｎ：ＯＬＩＦ）処置を行うことができ、これにより、椎体間移植片を使用して、大きな前方支持構造を提供し、そして、おそらく次に後方処置を行い、後方移植片の機器類により、全体的により大きい安定性を提供することができる。外科医は、特定の患者に治療目標を達成するために、同様に、いかなる処置を組み合わせることができる。脊椎の前方に対する種々のアプローチも組み合わせて使用され得る。例えば、直接の側面の暴露は、腰仙移行部（腰椎と仙骨の間のディスクまたはＬ５−Ｓ１スペース）へ容易に接近するのを可能にしないので、外科医は、斜めアプローチまたは前方アプローチを行いそのレベルに接近し、次に、より高い（上位の）レベルには直接側面を使用することができる。いずれにしても、アプローチを組み合わせるために、外科医は、現在、二つの選択肢しか有していない。処置の間（麻酔条件下）患者の向きを変えるか、別々の処置を続けて行う「段階的処置（ｓｔａｇｅｄ  ｐｒｏｃｅｄｕｒｅｓ）」と呼ばれる）かである。第一のオプションでは、手術の時間が長く、患者が麻酔下にある時間を制限したい場合好ましくなく、かつ、手術室（Ｏ．Ｒ．）の使用コストが、遅延により追加されるので好ましくない。段階的処置は、よりコストがかかり得、かつ典型的には、複数の処置を行うことにより病院での患者の時間が増えることになる。医療費負担適正化法（Ａｆｆｏｒｄａｂｌｅ  Ｈｅａｌｔｈｃａｒｅ  Ａｃｔ：ＡＣＡ）のヘルスケアおよび／または実行における変化は、費用抑制および根拠に基づく医療への運動を考えると、外科医が特定の組み合わせを選択する可能性にも影響を与える可能性が高い。
【０００８】
したがって、外科医が、多くの場合に、実質的に同時であるか、少なくとも同一の処置の間に、脊椎へのいくつかの異なる外科的アプローチを利用することを可能にする臨床のニーズが残っている。さらに、外科医に、いくつかのアプローチを使用し患者を治療するための、より効率的かつ有効なオプションを選ぶことを可能にする、方法および装置へのニーズがある。
【発明の概要】
【０００９】
一つの好ましい実施形態において、本発明は、患者の脊椎を外科的に治療するための方法に指向し、その方法は、第一のアプローチを用い、第一の開口を通って第一の装置を挿入する工程、および第一の装置が第一の開口を通って挿入されている間に、第二のアプローチを用い、第二の開口を通って第二の装置を挿入する工程を含み、第一のアプローチは第二のアプローチと異なる。
【００１０】
もう一つの好ましい実施形態において、本発明は、患者の脊椎を外科的に治療するための方法に指向し、その方法は、外科的姿勢にある患者に、第一の外科的処置を行う工程、およびその外科的姿勢から患者を動かすことなしに、第二の外科的処置を行う工程を含み、第一の外科的処置と第二の外科的処置は、それぞれ、椎間板切除術、椎弓切開、椎弓切除術、直接除圧術、間接除圧術、前縦靱帯切開、移植片挿入、試験片挿入、移植片挿入を容易にするための椎骨の引き離し、椎間板除去を容易にするための椎骨の引き離し、支点の視覚化および創造を容易にするための椎骨の引き離しからなる群から選択され、かつ、第一の外科的処置は、第二の外科的処置とは異なる。
【００１１】
さらなるもう一つの好ましい実施形態において、本発明は、患者の脊椎を外科的に治療するための方法を指向し、その方法は、患者を手術台に配置する工程、患者の後部に第一の開口を提供する工程、患者の側部に第二の開口を提供する工程、患者の冠状面を横切る第一の方向で脊椎に接触するように、第一の開口を通って患者に第一の装置を挿入する工程、および患者の矢状面を横切る第二の方向で脊椎に接触するように、第二の開口を通って患者に第二の装置を挿入する工程を含み、第一の開口および第二の開口は、同時に利用可能であり、かつ第一の装置と第二の装置が、患者に挿入されたときに、患者の姿勢は、台の部分に対して静止している。
【００１２】
さらなるもう一つの好ましい実施形態において、本発明は、患者の脊椎を外科的に治療するための方法を指向し、その方法は、患者を手術台に配置する工程、患者の姿勢を、手術中手術台に対して維持する工程、患者の姿勢が維持されている間に、手術の間患者の第一の開口および第二の開口に同時にアクセスする工程を含み、第一の開口は、患者の後部へのアクセスを許容し、かつ、第二の開口は、患者の側部へのアクセスを許容し、ここで、第一の開口にアクセスする工程は、患者を二等分する矢状面に対して４５°〜−４５°であり得る、第一の挿入方向で、脊椎に接触するように、第一の装置を患者に挿入する工程を含み、かつ、第二の開口にアクセスする工程は、患者の脊椎を通る冠状面に対して４５°〜−４５°であり得る、第二の挿入方向で、脊椎に接触するように、第二の装置を患者に挿入する工程を含む。
【００１３】
さらなるもう一つの別の好ましい実施形態において、本発明は、患者の脊椎を外科的に治療するための方法に指向し、その方法は、手術中の患者に、第一の開口および第二の開口を通って、患者の脊椎に同時にアクセスする工程、ここで、第一の開口は、患者の後部を通っており、かつ第二の開口は、患者の側部を通っており、第一の開口および第二の開口がアクセスされている間、手術台に患者の姿勢を維持する工程、第一の装置を、第一の挿入方向で脊椎に接触するように、第一の開口を通って、患者に挿入する工程、第二の装置を、第二の挿入方向で脊椎に接触するように、第二の開口を通って、患者に挿入する工程、第三の装置を、第三の挿入方向で脊椎に接触するように、第一の開口と第二の開口のうちの一つを通って、挿入する工程を含み、ここで、第一の挿入方向が、患者を二等分する矢状面に実質的に整列しており、第二の挿入方向が、脊椎を通る冠状面に実質的に整列しており、かつ、第三の挿入方向が、第一の挿入方向および第二の挿入方向のうちの一つに実質的に垂直である。
【００１４】
上記の一般的な記載および以下の詳細な説明は共に、例示のためかつ説明のためのみのものであり、特許請求の範囲に記載された発明を制限するためのものではないことが理解される。
【００１５】
本開示は、以下の図面を伴った具体的な説明により、より一層明らかになるであろう。
【図面の簡単な説明】
【００１６】
【図１Ａ】患者の腹部内の患者の脊椎の一部、および、患者の後部、前部、右側部、左側部を示す図解である。
【図１Ｂ】図１Ａに示された患者の腹部内にある、図１Ａに示された、脊椎の部分を示す、上面図である。
【図１Ｃ】図１Ａに示された、脊椎の部分の上面透視図であり、図１Ａに示された患者の腹部の部分を示している。
【図１ＣＣ】患者の脊椎の全長の上面透視図であり、図１Ａに示された、患者の腹部の部分を示している。
【図１ＣＣＣ】患者の脊椎の全長のもう一つの上面透視図であり、図１Ａに示された、患者の腹部の部分を示している。
【図１Ｄ】図１Ａに示された患者の脊椎の部分の上面透視図であり、図１Ａに示された、患者の腹部の部分、後方アプローチを用い脊椎の部分にアクセスするための、患者の後部にある二つの切開、および側方アプローチまたは斜めアプローチを用い脊椎の部分にアクセスするための患者の左側部の一つの切開を示している。
【図１Ｅ】図１Ａに示された、脊椎の部分の上面透視図であり、図１Ａに示された患者の腹部の部分、図１Ｄに示された第一および第二の切開、図１Ｄに示された第三の切開、後方アプローチを用いて、第一の切開を通って延び、第一の椎体にかみ合う第一の装置、後方アプローチを用いて、第二の切開を通って延び、第一の椎体にかみ合う第二の装置、後方アプローチを用いて、第二の切開を通って延び、第二の椎体にかみ合う第三の装置、側方アプローチを用いて、第三の切開を通って延び、第一の椎体にかみ合う第四の装置、および側方アプローチを用いて、第三の切開を通って延び、第二の椎体にかみ合う第五の装置を示している。
【図１Ｆ】図１Ａに示された、脊椎の部分の上面透視図であり、図１Ａに示された患者の腹部の部分、図１Ｄに示された第一および第二の切開、図１Ｄに示された第三の切開、後方アプローチを用いて、第一の切開を通って延び、第一の椎体にかみ合う、図１Ｅに示された第一の装置、後方アプローチを用いて、第二の切開を通って延び、第一の椎体にかみ合う、図１Ｅに示された第二の装置、後方アプローチを用いて、第二の切開を通って延び、第二の椎体にかみ合う、図１Ｅに示された第三の装置、側方アプローチを用いて、第三の切開を通って延び、第一の椎体にかみ合う、図１Ｅに示された第四の装置、側方アプローチを用いて、第三の切開を通って延び、第二の椎体にかみ合う、図１Ｅに示された第五の装置、および後方アプローチを用いて、第一の切開を通って延び、第二の椎体にかみ合う第六の装置を示している。
【図１Ｇ】図１Ａに示された、脊椎の部分の側面透視図であり、図１Ａに示された患者の腹部の部分、図１Ｄに示された第一および第二の切開、図１Ｄに示された第三の切開、後方アプローチを用いて、第一の切開を通って延び、第一の椎体にかみ合う、図１Ｅに示された第一の装置、後方アプローチを用いて、第二の切開を通って延び、第一の椎体にかみ合う、図１Ｅに示された第二の装置、後方アプローチを用いて、第二の切開を通って延び、第二の椎体にかみ合う、図１Ｅに示された第三の装置、側方アプローチを用いて、第三の切開を通って延び、第一の椎体にかみ合う、図１Ｅに示された第四の装置、側方アプローチを用いて、第三の切開を通って延び、第二の椎体にかみ合う、図１Ｅに示された第五の装置、および後方アプローチを用いて、第一の切開を通って延び、第二の椎体にかみ合う、図１Ｆに示された第六の装置を示している。
【図１Ｈ】図１Ａに示された、脊椎の部分の側面透視図であり、図１Ａに示された患者の腹部の部分、図１Ｄに示された第一および第二の切開、図１Ｄに示された第三の切開、後方アプローチを用いて、第一の切開を通って延び、第一の椎体にかみ合う、図１Ｅに示された第一の装置、後方アプローチを用いて、第二の切開を通って延び、第一の椎体にかみ合う、図１Ｅに示された第二の装置、後方アプローチを用いて、第二の切開を通って延び、第二の椎体にかみ合う、図１Ｅに示された第三の装置、および後方アプローチを用いて、第一の切開を通って延び、第二の椎体にかみ合う、図１Ｆに示された第六の装置を示しており、図１Ｅに示された第四の装置および図１Ｅに示された第五の装置は、第一の椎体および第二の椎体から第三の切開を通って取り除かれている。
【図１Ｉ】図１Ａに示された、脊椎の部分の側面図であり、図１Ａに示された患者の腹部、後方アプローチを用いて、第二の切開を通って延び、第一の椎体にかみ合う、図１Ｅに示された第二の装置、後方アプローチを用いて、第二の切開を通って延び、第二の椎体にかみ合う、図１Ｅに示された第三の装置、および第一の椎体と第二の椎体の間に配置された椎体間移植片を示している。
【図１Ｊ】図１Ａに示された患者の腹部の上面図であり、図１Ｅに示された第一の装置が、後方アプローチを用いて、第一の切開を通って挿入され、第一の椎体にかみ合っており、かつ、図１Ｆに示された第六の装置が、後方アプローチを用いて、第一の切開を通って挿入され、第二の椎体にかみ合っている、患者の腹部の配置を示している。
【図１Ｋ】図１Ａに示された患者の腹部の上面図であり、図１Ｅに示された第一の装置が、後方アプローチを用いて、第一の切開を通って挿入され、第一の椎体にかみ合っており、図１Ｅに示された第二の装置が、後方アプローチを用いて、第二の切開を通って挿入され、第一の椎体にかみ合っており、図１Ｅに示された第三の装置が、後方アプローチを用いて、第二の切開を通って挿入され、第二の椎体にかみ合っており、かつ図１Ｆに示された第六の装置が、後方アプローチを用いて、第一の切開を通って挿入され、第二の椎体にかみ合っている、患者の腹部の配置を示している。
【図１Ｌ】図１Ａに示された患者の腹部の部分断面上面図であり、図１Ｅに示された第一の装置が、後方アプローチを用いて、第一の切開を通って挿入され、第一の椎体にかみ合っており、図１Ｅに示された第二の装置が、後方アプローチを用いて、第二の切開を通って挿入され、第一の椎体にかみ合っており、図１Ｅに示された第三の装置が、後方アプローチを用いて、第二の切開を通って挿入され、第二の椎体にかみ合っており、図１Ｅに示された第四の装置が、側方アプローチを用いて、第三の切開を通って挿入され、第一の椎体にかみ合っており、図１Ｅに示された第五の装置が、側方アプローチを用いて、第三の切開を通って挿入され、第二の椎体にかみ合っており、かつ図１Ｆに示された第六の装置が、後方アプローチを用いて、第一の切開を通って挿入され、第二の椎体にかみ合っている、患者の腹部の配置を示している。
【図１Ｍ】図１Ａに示された、脊椎の部分の上面透視図であり、図１Ａに示された患者の腹部の部分、図１Ｄに示された第一および第二の切開、図１Ｄに示された第三の切開、後方アプローチを用いて、第一の切開を通って延び、第一の椎体にかみ合う、図１Ｅに示された第一の装置、後方アプローチを用いて、第二の切開を通って延び、第一の椎体にかみ合う、図１Ｅに示された第二の装置、後方アプローチを用いて、第二の切開を通って延び、第二の椎体にかみ合う、図１Ｅに示された第三の装置、側方アプローチを用いて、第三の切開を通って延び、第一の椎体にかみ合う、図１Ｅに示された第四の装置、側方アプローチを用いて、第三の切開を通って延び、第二の椎体にかみ合う、図１Ｅに示された第五の装置、および後方アプローチを用いて、第一の切開を通って延び、第二の椎体にかみ合う、図１Ｆに示された第六の装置を示しており、ここで、第一、第二、第三、第四、第五、および第六の装置は、シュタインマンピンである。
【図１Ｎ】図１Ａに示された、脊椎の部分の側面透視図であり、図１Ａに示された患者の腹部の部分、図１Ｄに示された第一および第二の切開、図１Ｄに示された第三の切開、後方アプローチを用いて、第一の切開を通って延び、第一の椎体にかみ合う、図１Ｅに示された第一の装置、後方アプローチを用いて、第二の切開を通って延び、第一の椎体にかみ合う、図１Ｅに示された第二の装置、後方アプローチを用いて、第二の切開を通って延び、第二の椎体にかみ合う、図１Ｅに示された第三の装置、側方アプローチを用いて、第三の切開を通って延び、第一の椎体にかみ合う、図１Ｅに示された第四の装置、側方アプローチを用いて、第三の切開を通って延び、第二の椎体にかみ合う、図１Ｅに示された第五の装置、および後方アプローチを用いて、第一の切開を通って延び、第二の椎体にかみ合う、図１Ｆに示された第六の装置を示している。
【図１Ｏ】図１Ａに示された、脊椎の部分の側面図であり、図１Ａに示された患者の腹部の部分、後方アプローチを用いて、第二の切開を通って延び、第一の椎体にかみ合う、図１Ｅに示された第二の装置、後方アプローチを用いて、第二の切開を通って延び、第二の椎体にかみ合う、図１Ｅに示された第三の装置、および第一の椎体と第二の椎体の間に配置された椎体間移植片を示している。
【図１Ｐ】図１Ａに示された患者の腹部の上面図であり、図１Ｅに示された第一の装置が、後方アプローチを用いて、第一の切開を通って挿入され、第一の椎体にかみ合っており、図１Ｅに示された第二の装置が、後方アプローチを用いて、第二の切開を通って挿入され、第一の椎体にかみ合っており、図１Ｅに示された第三の装置が、後方アプローチを用いて、第二の切開を通って挿入され、第二の椎体にかみ合っており、図１Ｅに示された第四の装置が、側方アプローチを用いて、第三の切開を通って挿入され、第一の椎体にかみ合っており、図１Ｅに示された第五の装置が、側方アプローチを用いて、第三の切開を通って挿入され、第二の椎体にかみ合っており、かつ図１Ｆに示された第六の装置が、後方アプローチを用いて、第一の切開を通って挿入され、第二の椎体にかみ合っている、患者の腹部の配置を示している。
【図１Ｑ】図１Ａに示された、脊椎の部分の上面透視図であり、図１Ａに示された患者の腹部の部分、図１Ｄに示された第一および第二の切開、図１Ｄに示された第三の切開、後方アプローチを用いて、第二の切開を通って延び、第一の椎体にかみ合う、図１Ｅに示された第二の装置、後方アプローチを用いて、第二の切開を通って延び、第二の椎体にかみ合う、図１Ｅに示された第三の装置、および後方アプローチを用いて、第一の切開を通って延び、第二の椎体にかみ合う、図１Ｆに示された第六の装置を示しており、ここで、第六の装置は、ナビゲーションツールを用いて、所定の位置に導かれている。
【図２Ａ】後方アプローチを用いて、第一の切開を通って挿入され、椎体にかみ合う第一の装置、および側方アプローチを用いて、第二の切開を通って挿入され、椎体にかみ合う第二の装置を含む、患者の椎体の部分断面上面図であり、ここで第一の装置と第二の装置は、それぞれ同じ平面内にある骨ねじであり、かつ第一の装置は第二の装置から間隔が離れている。
【図２Ｂ】後方アプローチを用いて、第一の切開を通って挿入され、椎体にかみ合う、図２Ａに示された第一の装置、側方アプローチを用いて、第二の切開を通って挿入され、椎体にかみ合う第二の装置、および後方アプローチを用いて、第一の切開を通って挿入され、椎体にかみ合う第三の装置を含む、図２Ａに示された椎体の部分断面上面図であり、ここで第二の装置と第三の装置は、それぞれ同じ平面内にある骨ねじであり、かつ第二の装置は第一の装置および第三の装置とかみ合っている。
【図２Ｃ】後方アプローチを用いて、第一の切開を通って挿入され、椎体にかみ合う、図２Ａに示された第一の装置、および側方アプローチを用いて、第二の切開を通って挿入され、椎体および第一の装置にかみ合う、図２Ｂに示された第二の装置を含む、図２Ａに示された椎体の部分断面上面図であり、ここで第一の装置と第二の装置は、それぞれ同じ平面内にあり、かつ図２Ｂに示された第三の装置は椎体から取り除かれている。
【図２Ｄ】後方アプローチを用いて、第一の切開を通って挿入され、椎体にかみ合う第一の装置、および側方アプローチを用いて、第二の切開を通って挿入され、椎体にかみ合う第二の装置を含む、図２Ａに示された椎体の部分断面上面図であり、ここで第一の装置と第二の装置は、カニューレ状の骨ねじであり、かつ第一の装置は第二の装置から間隔が離れている。
【図２Ｅ】後方アプローチを用いて、第一の切開を通って挿入され、椎体にかみ合う第一の装置、および側方アプローチを用いて、第二の切開を通って挿入され、椎体および第一の装置にかみ合う第二の装置を含む、図２Ａに示された椎体の部分断面上面図であり、ここで第一の装置は、第二の装置より長さが長い。
【図２Ｆ】後方アプローチを用いて、第一の切開を通って挿入され、椎体にかみ合う第一の装置、および側方アプローチを用いて、第二の切開を通って挿入され、椎体および第一の装置にかみ合う第二の装置を含む、図２Ａに示された椎体の部分断面上面図であり、ここで第二の装置は、第一の装置より長さが長い。
【図２Ｇ】後方アプローチを用いて、第一の切開を通って挿入され、椎体にかみ合う第一の装置、後方アプローチを用いて、第一の切開を通って挿入され、椎体にかみ合う第二の装置、および側方アプローチを用いて、第二の切開を通って挿入され、椎体にかみ合う第三の装置を含む、椎体の部分的に幻像の上面透視図であり、ここで第一の装置と第二の装置の少なくとも一つは、第一の平面にあり、かつ第三の装置は第一の平面と異なる第二の平面にある。
【図２Ｈ】後方アプローチを用いて、第一の切開を通って挿入され、椎体にかみ合う、図２Ｇに示された第一の装置、後方アプローチを用いて、第一の切開を通って挿入され、椎体にかみ合う、図２Ｇに示された第二の装置、および側方アプローチを用いて、第二の切開を通って挿入され、椎体にかみ合う、図２Ｇに示された第三の装置を含む、椎体の部分的に幻像の側面透視図であり、ここで第一の装置と第二の装置の少なくとも一つは、第一の平面にあり、かつ第三の装置は第一の平面と異なる第二の平面にある。
【図２Ｉ】後方アプローチを用いて、第一の切開を通って挿入され、椎体にかみ合う、図２Ｇに示された第一の装置、後方アプローチを用いて、第一の切開を通って挿入され、椎体にかみ合う、図２Ｇに示された第二の装置、および側方アプローチを用いて、第二の切開を通って挿入され、椎体にかみ合う、図２Ｇに示された第三の装置を含む、椎体の部分的に幻像の側面図であり、ここで第一の装置と第二の装置の少なくとも一つは、第一の平面にあり、かつ第三の装置は第一の平面と異なる第二の平面にある。
【図２Ｊ】患者の中腰部からアクセスされ、かつ後方アプローチを伴う低侵襲性側方椎体間固定（Ｍｉｎｉｍａｌｌｙ  Ｉｎｖａｓｉｖｅ  Ｌａｔｅｒａｌ  Ｉｎｔｅｒｂｏｄｙ  Ｆｕｓｉｏｎ）処置を用いて、第一の切開を通って挿入され、椎体にかみ合う、第一の装置を含む、椎体の部分的に幻像の上面透視図である。
【図２Ｋ】患者の中腰部からアクセスされ、かつ後方アプローチを伴う低侵襲性側方椎体間固定処置を用いて、第一の切開を通って挿入され、椎体にかみ合う、図２Ｊに示された第一の装置を含む、図２Ｊに示された椎体の部分的に幻像の側面図である。
【図２Ｌ】患者の中腰部からアクセスされ、かつ後方アプローチを伴う低侵襲性側方椎体間固定処置を用いて、第一の切開を通って挿入され、椎体にかみ合う、第一の装置を含む、椎体の部分的に幻像の上面透視図である。
【図２Ｍ】患者の中腰部からアクセスされ、かつ後方アプローチを伴う低侵襲性側方椎体間固定処置を用いて、第一の切開を通って挿入され、椎体にかみ合う、図２Ｌに示された第一の装置を含む、図２Ｌに示された椎体の部分的に幻像の側面図である。
【図３Ａ】第一の装置が第一の椎体を通って、第一の椎体と第二の椎体の間の空間に延びるように、後方アプローチを用いて、第一の切開を通って延びる第一の装置、および側方アプローチを用いて、第二の切開を通って延び、第一の装置が第二の装置とかみ合い、第一の装置の先端が、第二の装置の後方になるように、第一の椎体および第二の椎体の間の空間に第二の装置を配置する第二の装置を有する、第一の椎体および第二の椎体の部分的に幻像の上面透視図である。
【図３Ｂ】後方アプローチを用いて、第一の装置が第一の椎体を通って、第一の椎体と第二の椎体の間の空間に延びるように、第一の切開を通って延びる、図３Ａに示された第一の装置、および側方アプローチを用いて、第二の切開を通って延び、第一の装置が第二の装置とかみ合い、第一の装置の先端が、第二の装置の後方になるように、第一の椎体および第二の椎体の間の空間に第二の装置を配置する、図３Ａに示された第二の装置を有する、図３Ａに示された第一の椎体および第二の椎体の部分的に幻像の側面図である。
【図３Ｃ】後方アプローチを用いて、第一の装置が第一の椎体を通って、第一の椎体と第二の椎体の間の空間に延びるように、第一の切開を通って延びる、図３Ａに示された第一の装置、および側方アプローチを用いて、第二の切開を通って延び、第一の装置が第二の装置とかみ合い、第一の装置の先端が、第二の装置の後方になるように、第一の椎体および第二の椎体の間の空間に第二の装置を配置する、図３Ａに示された第二の装置を有する、図３Ａに示された第一の椎体および第二の椎体の部分的に幻像の上面図である。
【図３Ｄ】後方アプローチを用いて、第一の装置が第一の椎体を通って、第一の椎体と第二の椎体の間の空間に延びるように、第一の切開を通って延びる第一の装置、および側方アプローチを用いて、第二の切開を通って延び、第一の装置の先端が、第二の装置内に配置され、かつ第一の装置のヘッドが第一の椎体の一面の後方になるように、第一の椎体および第二の椎体の間の空間に第二の装置を配置する、第二の装置を有する、第一の椎体および第二の椎体の部分的に幻像の上面透視図である。
【図３Ｅ】後方アプローチを用いて、第一の装置が第一の椎体を通って、第一の椎体と第二の椎体の間の空間に延びるように、第一の切開を通って延びる、図３Ｄに示された第一の装置、および側方アプローチを用いて、第二の切開を通って延び、第一の装置の先端が、第二の装置内に配置され、かつ第一の装置のヘッドが第一の椎体の一面の後方になるように、第一の椎体および第二の椎体の間の空間に第二の装置を配置する、図３Ｄに示された第二の装置を有する、図３Ｄに示された第一の椎体および第二の椎体の部分的に幻像の側面図である。
【図３Ｆ】後方アプローチを用いて、第一の装置が第一の椎体を通って、第一の椎体と第二の椎体の間の空間に延びるように、第一の切開を通って延びる、図３Ｄに示された第一の装置、および側方アプローチを用いて、第二の切開を通って延び、第一の装置の先端が、第二の装置内に配置され、かつ第一の装置のヘッドが第一の椎体の一面の後方になるように、第一の椎体および第二の椎体の間の空間に第二の装置を配置する、図３Ｄに示された第二の装置を有する、図３Ｄに示された第一の椎体および第二の椎体の部分的に幻像の上面図である。
【図３Ｇ】後方アプローチを用いて、第一の装置が第一の椎体を通って、第一の椎体と第二の椎体の間の空間に延びるように、第一の切開を通って延びる第一の装置、および側方アプローチを用いて、第二の切開を通って延び、第一の装置の先端が、第二の装置内に配置され、かつ第一の装置のヘッドが第一の椎体の一面の後方になるように、第一の椎体および第二の椎体の間の空間に第二の装置を配置する第二の装置を有する、第一の椎体および第二の椎体の部分的に幻像の上面透視図であり、ここで、第一の装置は、カニューレ状の骨ねじであり、かつ第二の装置は、椎体間移植片である。
【図３Ｈ】後方アプローチを用いて、第一の装置が第一の椎体を通って、第一の椎体と第二の椎体の間の空間に延びるように、第一の切開を通って延びる、図３Ｇに示された第一の装置、および側方アプローチを用いて、第二の切開を通って延び、第一の装置の先端が、第二の装置内に配置され、かつ第一の装置のヘッドが第一の椎体の一面の後方になるように、第一の椎体および第二の椎体の間の空間に第二の装置を配置する、図３Ｇに示された第二の装置を有する、図３Ｇに示された第一の椎体および第二の椎体の部分的に幻像の側面図であり、ここで、第一の装置は、カニューレ状の骨ねじであり、かつ第二の装置は、椎体間移植片である。
【図３Ｉ】後方アプローチを用いて、第一の装置が第一の椎体を通って、第一の椎体と第二の椎体の間の空間に延びるように、第一の切開を通って延びる、図３Ｇに示された第一の装置、および側方アプローチを用いて、第二の切開を通って延び、第一の装置の先端が、第二の装置内に配置され、かつ第一の装置のヘッドが第一の椎体の一面の後方になるように、第一の椎体および第二の椎体の間の空間に第二の装置を配置する、図３Ｇに示された第二の装置を有する、図３Ｇに示された第一の椎体および第二の椎体の部分的に幻像の上面図であり、ここで、第一の装置は、カニューレ状の骨ねじであり、かつ第二の装置は、椎体間移植片である。
【図３Ｊ】後方アプローチを用いて、第一の装置が第一の椎体を通って、第一の椎体と第二の椎体の間の空間に延びるように、第一の切開を通って延びる第一の装置、および側方アプローチを用いて、第二の切開を通って延び、第一の装置が、第二の装置にかみ合い、かつ第一の装置の先端が第二の装置の前方になるように、第一の椎体および第二の椎体の間の空間に第二の装置を配置する、第二の装置を有する、第一の椎体および第二の椎体の部分的に幻像の上面透視図である。
【図３Ｋ】後方アプローチを用いて、第一の装置が第一の椎体を通って、第一の椎体と第二の椎体の間の空間に延びるように、第一の切開を通って延びる、図３Ｊに示された第一の装置、および側方アプローチを用いて、第二の切開を通って延び、第一の装置が、第二の装置にかみ合い、かつ第一の装置の先端が第二の装置の前方になるように、第一の椎体および第二の椎体の間の空間に第二の装置を配置する、図３Ｊに示された第二の装置を有する、図３Ｊに示された第一の椎体および第二の椎体の部分的に幻像の側面図である。
【図３Ｌ】後方アプローチを用いて、第一の装置が第一の椎体を通って、第一の椎体と第二の椎体の間の空間に延びるように、第一の切開を通って延びる、図３Ｊに示された第一の装置、および側方アプローチを用いて、第二の切開を通って延び、第一の装置が、第二の装置にかみ合い、かつ第一の装置の先端が第二の装置の前方になるように、第一の椎体および第二の椎体の間の空間に第二の装置を配置する、図３Ｊに示された第二の装置を有する、図３Ｊに示された第一の椎体および第二の椎体の部分的に幻像の上面図である。
【図３Ｍ】後方アプローチを用いて、第一の装置が第一の椎体を通って、第一の椎体と第二の椎体の間の空間に延びるように、第一の外科的経路に沿って延びる第一の装置、側方アプローチを用いて、第二の外科的経路に沿って延び、第二の装置が第一の装置にかみ合うように、第一の椎体および第二の椎体の間の空間に第二の装置を配置する第二の装置、後方アプローチを用いて、第三の装置が第一の椎体を通って、第二の装置に接触するまで延びるように、第三の外科的経路に沿って延びる第三の装置、後方アプローチを用いて、第四の装置が第二の椎体を通って、第二の装置内に延びるように、第四の外科的経路に沿って延びる第四の装置、および後方アプローチを用いて、第五の装置が第二の椎体を通って、第二の装置内に延びるように、第五の外科的経路に沿って延びる第五の装置を有する、第一の椎体および第二の椎体の部分的に幻像の上面透視図である。
【図３Ｎ】後方アプローチを用いて、第一の装置が第一の椎体を通って、第一の椎体と第二の椎体の間の空間に延びるように、第一の外科的経路に沿って延びる、図３Ｍに示された第一の装置、側方アプローチを用いて、第二の外科的経路に沿って延び、第二の装置が第一の装置にかみ合うように、第一の椎体および第二の椎体の間の空間に第二の装置を配置する、図３Ｍに示された第二の装置、後方アプローチを用いて、第三の装置が第一の椎体を通って、第二の装置に接触するまで延びるように、第三の外科的経路に沿って延びる、図３Ｍに示された第三の装置、後方アプローチを用いて、第四の装置が第二の椎体を通って、第二の装置内に延びるように、第四の外科的経路に沿って延びる、図３Ｍに示された第四の装置、および後方アプローチを用いて、第五の装置が第二の椎体を通って、第二の装置内に延びるように、第五の外科的経路に沿って延びる、図３Ｍに示された第五の装置を有する、図３Ｍに示された第一の椎体および第二の椎体の部分的に幻像の側面図である。
【図３Ｏ】後方アプローチを用いて、第一の装置が第一の椎体を通って、第一の椎体と第二の椎体の間の空間に延びるように、第一の外科的経路に沿って延びる、図３Ｍに示された第一の装置、側方アプローチを用いて、第二の外科的経路に沿って延び、第二の装置が第一の装置にかみ合うように、第一の椎体および第二の椎体の間の空間に第二の装置を配置する、図３Ｍに示された第二の装置、後方アプローチを用いて、第三の装置が第一の椎体を通って、第二の装置に接触するまで延びるように、第三の外科的経路に沿って延びる、図３Ｍに示された第三の装置、後方アプローチを用いて、第四の装置が第二の椎体を通って、第二の装置内に延びるように、第四の外科的経路に沿って延びる、図３Ｍに示された第四の装置、および後方アプローチを用いて、第五の装置が第二の椎体を通って、第二の装置内に延びるように、第五の外科的経路に沿って延びる、図３Ｍに示された第五の装置を有する、図３Ｍに示された第一の椎体および第二の椎体の部分的に幻像の上面図である。
【図３Ｐ】図３Ｍに示された第一の椎体および第二の椎体の拡大された部分的に幻像の上面図であり、図３Ｍに示された第一、第二、第三、第四、および第五の装置のそれぞれの相対的方向および位置を示している。
【図３Ｑ】図３Ｍに示された第一の椎体および第二の椎体の拡大された部分的に幻像の上面透視図であり、図３Ｍに示された第一、第二、第三、第四、および第五の装置のそれぞれの相対的方向および位置を示している。
【図３Ｒ】図３Ｍに示された第一の椎体および第二の椎体の拡大された部分的に幻像の側面透視図であり、図３Ｍに示された第一、第二、第三、第四、および第五の装置のそれぞれの相対的方向および位置を示している。
【図３Ｓ】図３Ｍに示された第一の椎体および第二の椎体の拡大された部分的に幻像の側面図であり、図３Ｍに示された第一、第二、第三、第四、および第五の装置のそれぞれの相対的方向および位置を示している。
【図４Ａ】後方アプローチを用いて、第一の装置が第一の椎体を通って、第二の椎体内に延びるように、第一の切開を通って延びる第一の装置、および側方アプローチを用いて、第二の切開を通って延び、第一の椎体および第二の椎体の間の空間に第二の装置を配置する第二の装置を有する、第一の椎体および第二の椎体の部分的に幻像の上面透視図である。
【図４Ｂ】後方アプローチを用いて、第一の装置が第一の椎体を通って、第二の椎体内に延びるように、第一の切開を通って延びる、図４Ａに示された第一の装置、および側方アプローチを用いて、第二の切開を通って延び、第一の椎体および第二の椎体の間の空間に第二の装置を配置する、図４Ａに示された第二の装置を有する、図４Ａに示された第一の椎体および第二の椎体の部分的に幻像の側面図である。
【図４Ｃ】後方アプローチを用いて、第一の装置が第一の椎体を通って、第二の椎体内に延びるように、第一の切開を通って延びる、図４Ａに示された第一の装置、および側方アプローチを用いて、第二の切開を通って延び、第一の椎体および第二の椎体の間の空間に第二の装置を配置する、図４Ａに示された第二の装置を有する、図４Ａに示された第一の椎体および第二の椎体の部分的に幻像の上面図である。
【発明を実施するための形態】
【００１７】
開示された方法の例示的な実施形態は、筋骨格障害の治療のための方法および、より詳細には、脊椎を治療するための方法に関して議論される。本明細書に記載された種々の実施形態もまた、これに限られないが、整形外科、心臓、耳鼻科、および胃腸を含み得る、他の体のシステムまたは構造の治療において、複数の外科的経路を確立するのに有用であり得ることが理解されるべきである。いくつかの実施形態において、背骨を治療するための方法は、例えば、前外側椎体間固定術（ａｎｔｅｒｏ−ｌａｔｅｒａｌ  ｉｎｔｅｒｂｏｄｙ  ｆｕｓｉｏｎ：ＡＬＩＦ）、前方侵入椎体間固定術（ｏｂｌｉｑｕｅ  ｌａｔｅｒａｌ  ｉｎｔｅｒｂｏｄｙ  ｆｕｓｉｏｎ：ＯＬＩＦ）、正中椎体間固定術（ｍｉｄｌｉｎｅ  ｉｎｔｅｒｂｏｄｙ  ｆｕｓｉｏｎ：ＭＩＤＬＩＦ）、および／または正側椎体間固定術（ｄｉｒｅｃｔ  ｌａｔｅｒａｌ  ｉｎｔｅｒｂｏｄｙ  ｆｕｓｉｏｎ：ＤＬＩＦ）を含む。
【００１８】
一つの実施形態において、それぞれ、異なる挿入経路を通って配置され、患者の脊椎の少なくとも一部分に同時にアクセスする、椎体間移植片および機器が提供される。本開示は、本開示の一部を形成する添付の図面と共に、下記の実施形態の詳細な説明を参照してより容易に理解され得る。本出願は、本明細書に記載および／または示された特定の装置、方法、状態または変数に限定されるものでなく、本明細書で使用される用語法は、例のみによって特定の実施形態を述べるためのものであり、限定することを意図するものではないことが理解されるべきである。また、本明細書および添付の特許請求の範囲に使用される、単数形の「一つの（ａ）」、「一つの（ａｎ）」、および「その（ｔｈｅ）」は、複数を含み、特定の数値の参照は、文脈が他を明確に記載しない限り、少なくとも、その特定の値を含む。範囲は、本明細書においては、「約」または「およそ」一つの特定の値から、および／または、「約」または「およそ」もう一つの特定の値まで、と表現され得る。そのような範囲が表現されるとき、もう一つの実施形態は、その一つの特定の値から、および／または、その別の特定の値まで、を含む。同様に、「約」が前につくことによって、値が近似値として表現されるとき、その特定の値は、もう一つの実施形態を形成すると理解されるであろう。すべての空間的参照、例えば、水平、垂直、頂部、上部、下部、底部、左、および右等は、説明のみが目的であり、開示の範囲内で変化し得ることも理解される。例えば、「上部（ｕｐｐｅｒ）」および「下部（ｌｏｗｅｒ）」なる参照は、相対的なものであって、お互いの関連のみに使われ、必ずしも「優れている（ｓｕｐｅｒｉｏｒ）」および「劣っている（ｉｎｆｅｒｉｏｒ）」という意味ではない。
【００１９】
さらに、本明細書および添付の特許請求の範囲に使用される、疾患または状態を「治療する（ｔｒｅａｔｉｎｇ）」または疾患または状態の「治療（ｔｒｅａｔｍｅｎｔ）」は、患者（正常な人間、若しくは正常でない人間、または他の哺乳類）に一つまたは複数の薬を投与すること、移植可能な装置を使用すること、および／または、例えば、膨らんだ椎間板またはヘルニア椎間板および／または骨棘を取り除くのに使用される、顕微的椎間板切除術用機器のような、疾患を治療する機器を使用することを含み得る処置を、疾患または状態の兆候または症状を緩和しようとして行うこと指す。緩和は、疾患または状態の兆候または症状の出現に先立って行われてよく、それらの出現の後に行われてもよい。したがって、治療することまたは治療は、疾患または望ましくない状態を予防すること（ｐｒｅｖｅｎｔｉｎｇ）または予防（ｐｒｅｖｅｎｔｉｏｎ）（例えば、疾患が、疾患にかかりやすいが、まだその疾患であると診断されていない患者に起こることを予防すること）を含む。また、治療することまたは治療は、兆候または症状の必ずしも完全な緩和を要求するものでなく、完治を要求するものでなく、特に、患者にわずかな効果のみを有する処置を含む。治療は、疾患の発達を止める等の、疾患を阻害することを含み得、また、疾患の後退を起こす等の、疾患を和らげることを含み得る。例えば、治療は、急性または慢性の炎症を減らすこと、痛みを緩和し、新しい靱帯、骨、および他の組織の再生を抑えたり促進したりすること、外科手術の付属として、および／またはいかなる修復処置を含み得る。また、明細書および添付の特許請求の範囲で使用される、「組織」なる用語は、特に他を指していない限り、軟部組織、靱帯、腱、軟骨組織、および／または骨を含む。
【００２０】
以下の議論は、外科的システムおよび、本開示の原則に従って、外科的システムを使用する関連する方法の記載を含む。代替的な実施形態も開示される。添付の図面に説明される本開示の例示的実施形態が詳細に参照される。図１〜図４Ｃを見ると、例えば、脊椎インプラントシステム１０等の、外科的システムの要素が説明されている。
【００２１】
脊椎インプラントシステム１０の要素は、特定の適用および／または医療従事者の好みに基づき、金属、合成樹脂、セラミック、および骨材料、ならびに／またはその複合体を含む、医療装置に好適な、生物学的に許容できる材料から形成され得る。例えば、脊椎インプラントシステム１０の要素は、個別にまたは集団的に、ステンレス鋼合金、商業的に純粋なチタン、チタン合金、グレード５チタン、超弾性チタン合金、コバルトクロム合金、ステンレス鋼合金、超弾性金属合金（例えば、ニチノール、豊通マテリアル株式会社により製造されたＧＵＭＭＥＴＡＬ（登録商標）等の、超塑性金属）、リン酸カルシウム（例えば、Ｂｉｏｌｏｇｉｘ  Ｉｎｃ．により製造されたＳＫＥＬＩＴＥ（商標））等のセラミックおよびその複合体、ポリエーテルエーテルケトン（ＰＥＥＫ）、ポリエーテルケトンケトン（ＰＥＫＫ）およびポリエーテルケトン（ＰＥＫ）を含むポリアリールエーテルケトン（ＰＡＥＫ）等の熱可塑性プラスチック、炭素−ＰＥＥＫ複合体、ＰＥＥＫ−ＢａＳＯ４重合体ゴム、ポリエチレンテレフタレート（ＰＥＴ）、繊維、シリコン、ポリウレタン、シリコン−ポリウレタン共重合体、重合体ゴム、ポリオレフィンゴム、ヒドロゲル、半硬質材料および硬質材料、弾性体、ゴム、熱可塑性弾性体、熱硬化性弾性体、弾性体複合体、ポリフェニレン、ポリアミド、ポリイミド、ポリエーテルイミド、ポリエチレン、エポキシを含む硬質重合体、自家移植片、同種移植片、異種移植片、または遺伝子組み換え皮質骨および／若しくは皮質海綿骨を含む骨材料、および、組織成長因子または組織分化因子、例えば、金属とカルシウムベースのセラミックの複合体、ＰＥＥＫとカルシウムベースのセラミックの複合体、吸収性ポリマーとＰＥＥＫの複合体のような部分的に吸収性の材料、例えば、ヒドロキシアパタイト（ｈｙｄｒｏｘｙａｐａｔｉｔｅ：ＨＡ）、コーララインＨＡ、二相性リン酸カルシウム、リン酸三カルシウム、またはフルオロアパタイトのようなリン酸カルシウム、リン酸三カルシウム（ｔｒｉ−ｃａｌｃｉｕｍ  ｐｈｏｓｐｈａｔｅ：ＴＣＰ）、ＨＡ−ＴＣＰ、硫酸カルシウムのようなカルシウムベースのセラミックのような完全な吸収性材料、またはポリアエチド（ｐｏｌｙａｅｔｉｄｅ）、ポリグリコライド、ポリチロシンカーボネート、ポリカルオプラエトヘ（ｐｏｌｙｃａｒｏｐｌａｅｔｏｈｅ）およびそれらの組み合わせのような他の吸収性ポリマー、生体適合性セラミック、ミネラル化コラーゲン、生体活性ガラス、多孔質金属、骨粒子、骨繊維、細骨片、ＢＭＰ−２、ＢＭＰ−４、ＢＭＰ−７、ｒｈＢＭＰ−２、またはｒｈＢＭＰ−７のような骨形成タンパク質（ｂｏｎｅ  ｍｏｒｐｈｏｇｅｎｅｔｉｃ  ｐｒｏｔｅｉｎ：ＢＭＰ）、脱灰骨基質（ＤＢＭ）、形質転換増殖因子（ＴＧＦ、例えば、ＴＧＦ−β）、骨芽細胞、成長および分化因子（ＧＤＦ）、インスリン様成長因子１、血小板由来成長因子、線維芽細胞増殖因子、またはそれらの組み合わせのような材料から形成され得る。
【００２２】
脊椎インプラントシステム１０の種々の要素は、強度、合成、弾性、順応性、生体力学的性能、耐久性、および放射線透過性または好みの画像化のような種々の望ましい性質を達成するために、上記材料を含む材料の複合体を含み得る。脊椎インプラントシステム１０の要素はまた、個別的にまたは集団的に、上述の材料の二つ以上の組み合わせ（例えば、種々のＰＥＥＫ椎体間移植片が選択的に多孔質チタンでコーティングされ得る）のような、混成材料から形成され得る。脊椎インプラントシステム１０の要素は、本明細書に記載されるように、モノリシックに形成され得、一体的に接続され得、または締め付け要素および／または機器を含み得る。
【００２３】
脊椎インプラントシステム１０は、例えば、完全切開外科的処置、経皮的技術を含む低侵襲処置、および、例えば、少なくとも一つの椎体間移植片のような機器および／または移植片を、例えば、椎骨Ｖを含む脊椎を含む、患者の対象の体Ｂ内の外科的サイトに送達および導入するための小切開外科的技術に使用される。いくつかの実施形態では、移植片は、例えば、ピン、骨固定具、脊椎ロッド、コネクターおよび／またはプレートのような、脊椎構成物を含み得る。
【００２４】
図１Ａに示されるように、体Ｂは、後方部分Ｐ、前方部分Ａ、および後方部分Ｐおよび前方部分Ａの間に、相対する右側方部分ＲＬおよび左側方部分ＬＬを含む。システム１０の機器および／または移植片は、患者に、後方アプローチ、前方アプローチ、右側方アプローチ、左側方アプローチ、またはそれらの組み合わせを用いて、導入され得る。後方アプローチは、少なくとも一つの椎骨Ｖに、例えば、後方部分Ｐ等の、患者の背中を通ってアクセスすることを含む。前方アプローチは、少なくとも一つの椎骨Ｖに、例えば、前方部分Ａ等の、患者の正面を通ってアクセスすることを含む。右側方アプローチは、少なくとも一つの椎骨Ｖに、例えば、右側方部分ＲＬ等の、患者の側方を通ってアクセスすることを含む。左側方アプローチは、少なくとも一つの椎骨Ｖに、例えば、左側方部分ＬＬ等の、患者の側方を通ってアクセスすることを含む。
【００２５】
いくつかの実施形態において、後方アプローチは、体Ｂの冠状面ＣＰに垂直の角度、および／または冠状面ＣＰに対して鋭角で延びる経路を通って、少なくとも一つの椎骨Ｖにアクセスすることを含む。いくつかの実施形態において、鋭角は、体Ｂの矢状面ＳＰに対して、約−４５°〜約４５°であり、および／または冠状面ＣＰに対して直角までで、体Ｂの矢状面ＳＰに対して、約−９０°〜約−９０°である。いくつかの実施形態において、前方アプローチは、体Ｂの冠状面ＣＰに垂直の角度、および／または冠状面ＣＰに対して鋭角で延びる経路を通って、少なくとも一つの椎骨Ｖにアクセスすることを含む。いくつかの実施形態において、鋭角は、体Ｂの矢状面ＳＰに対して、約−４５°〜約４５°であり、および／または矢状面ＳＰに対して直角までで、体Ｂの矢状面ＳＰに対して約−９０°〜約９０°である。いくつかの実施形態において、右側方アプローチおよび左側方アプローチはそれぞれ、冠状面ＣＰに平行、および／または冠状面ＣＰに対して鋭角で延びる経路に沿って、少なくとも一つの椎骨Ｖにアクセスする。いくつかの実施形態において、鋭角は、体Ｂの冠状面ＣＰに対して、約−４５°〜約４５°である。
【００２６】
図１Ｄ〜図１Ｈ、および図１Ｍに示された一つの実施形態において、第一の切開Ｉ１は、患者の後方部分Ｐの、例えば、正中矢状面ＳＰのような、体Ｂの矢状面の右に形成され、第二の切開Ｉ２は、患者の後方部分Ｐの、例えば、図１Ｄに示されるように、矢状面ＳＰの左に形成される。第一の切開Ｉ１は、後方アプローチを用いて、椎骨Ｖへの第一の外科的経路を定義し、第二の切開Ｉ２は、後方アプローチを用いて、椎骨Ｖへの第二の外科的経路を定義する。第一の切開Ｉ１および第二の切開Ｉ２は、椎骨Ｖの少なくとも第一の椎体Ｖ１および第二の椎体Ｖ２へのアクセスを提供するように構成される。第三の切開Ｉ３は、例えば、図１Ｄに示されるように、患者の左側方部分ＬＬに形成される。第三の切開Ｉ３は、側方アプローチを用いて、少なくとも第一の椎体Ｖ１および少なくとも第二の椎体Ｖ２へのアクセスを提供するように、椎骨Ｖへの第三の外科的経路を定義する。いくつかの実施形態において、第一の切開Ｉ１、第二の切開Ｉ２、および第三の切開Ｉ３の少なくとも一つは、完全切開外科的処置、経皮的技術を含む低侵襲性処置、および、例えば、ＭＥＴＲＸ（登録商標）チューブのような管、ＸＴＵＢＥ（登録商標）開創器またはＱＵＡＤＲＡＮＴ（商標）開創器（これらは、すべてＭｅｄｔｒｏｎｉｃ  Ｓｐｉｎｅから入手可能である）を使用する小切開外科的技術において使用するために形成される。いくつかの実施形態において、Ａ、Ｐ、ＲＬ、ＬＬの各部分は、例えば、上記で議論された切開のような、一つまたは複数の切開を含み得る。すなわち、外科的アプローチの平面ごとに、一つまたは複数の切開がある。いくつかの実施形態において、第一の切開Ｉ１、第二の切開Ｉ２、および第三の切開Ｉ３は、複数の侵入点が必要および／または望ましい、患者の体のいかなるところにあり得る。種々の切開Ｉ１、Ｉ２、Ｉ３は、例えば、経皮的処置のための比較的小さい「刺し傷」状の切開のような大きさであり得、および／または、「小切開」または、骨の構造のより大きな部分が露出される完全切開に拡大され得る３０ｍｍより長い大きさであり得る。さらに、切開Ｉ１、Ｉ２、Ｉ３によって最初に確立された作業路に組織が移動するのを防ぐように、種々の開創器および／または拡張器が使用され得る。さらに、単一処置における切開Ｉ１、Ｉ２、Ｉ３は、実質的に同じ大きさで形成され得るか、本明細書でより完全に述べられる種々の機器、インサータ、および／または移植片を収容するために、種々の大きさを有し得る。切開を介して機器の組み合わせにより定義される作業スペースまたは作業路は、本明細書で更に記載される、外科的ナビゲーション手段により、実質的に定義され得る。
【００２７】
図１Ｅに示されるように、例えば、第一の装置Ｄ１、例えば、シュタインマンピンまたはスクリューポスト／拡張スクリューが、第一の切開Ｉ１に挿入され、第一の装置Ｄ１は、後方アプローチを用いて、第一の外科的経路に沿って延び、第一の椎体Ｖ１の矢状面ＳＰの右に経皮的にかみ合う。いくつかの実施形態において、第一の装置Ｄ１は、第一の椎体Ｖ１の関節突起と第一の椎体Ｖ１の横突起の間の第一の椎体Ｖ１の一部にかみ合う。いくつかの実施形態において、案内孔が、第一の装置Ｄ１のために第一の椎体Ｖ１に形成され、第一の装置Ｄ１が、案内孔内に挿入され、第一の装置Ｄ１の外表面のねじ山が、案内孔を定義する第一の椎体Ｖ１の一部にかみ合い、第一の装置Ｄ１は、第一の装置Ｄ１により定義される長軸の周りに、第一の装置Ｄ１が第一の椎体Ｖ１にねじ式にかみ合うまで回転する。いくつかの実施形態において、第一の装置Ｄ１は、第一の椎体Ｖ１に、例えば、ねじ回しのようなドライバー、または、第一の装置Ｄ１の近位端にかみ合う機器Ｉ等を用いて、ねじ込まれる。いくつかの実施形態において、第一の装置Ｄ１は、第一の椎体Ｖ１に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。上記のドライバーまたは機器のいずれも、外科的ナビゲーション要素に取り付けられ得、ナビゲーションシステムおよび／または画像システムを用いて、第一の装置Ｄ１の挿入軌跡を、手術中に確立および監視する。
【００２８】
第二の装置Ｄ２、例えば、シュタインマンピンまたはスクリューポスト／拡張スクリューが、（図１Ｅに示されるように）第二の切開Ｉ２に挿入され、第二の装置Ｄ２は、後方アプローチを用いて、第二の外科的経路に沿って延び、第一の椎体Ｖ１の矢状面ＳＰの左に経皮的にかみ合う。いくつかの実施形態において、第二の装置Ｄ２は、第一の椎体Ｖ１の関節突起と第一の椎体Ｖ１の横突起の間の第一の椎体Ｖ１の一部にかみ合う。いくつかの実施形態において、案内孔が、第二の装置Ｄ２のために第一の椎体Ｖ１に形成され、第二の装置Ｄ２が、案内孔内に挿入され、第二の装置Ｄ２の外表面のねじ山が、案内孔を定義する第一の椎体Ｖ１の一部にかみ合い、第二の装置Ｄ２は、第二の装置Ｄ２により定義される長軸の周りに、第二の装置Ｄ２が第一の椎体Ｖ１にねじ式にかみ合うまで回転する。
【００２９】
いくつかの実施形態において、第二の装置Ｄ２は、第一の椎体Ｖ１に、例えば、ねじ回しのようなドライバー、または、第二の装置Ｄ２の近位端にかみ合う機器Ｉ等を用いて、ねじ込まれる。いくつかの実施形態において、第二の装置Ｄ２は、第一の椎体Ｖ１に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。いくつかの実施形態において、第二の装置Ｄ２は、第二の切開Ｉ２内に挿入され、患者を、第一の装置Ｄ１が、第一の切開Ｉ１に挿入され、第一の椎体Ｖ１にかみ合った姿勢から動かすことなしに、第一の椎体Ｖ１の一部にかみ合う。すなわち、患者は、第一の装置Ｄ１を、第一の切開Ｉ１内に挿入し第一の椎体Ｖ１にかみ合った後は、第二の装置Ｄ２を、第二の切開Ｉ２内に挿入し、第一の椎体Ｖ１にかみ合うようにするために、動かされず、向きも変えられない。いくつかの実施形態において、患者の姿勢は、第一の椎体Ｖ１にかみ合うための第一の切開Ｉ１内への第一の装置Ｄ１の挿入と、第一の椎体Ｖ１にかみ合うための第二の切開Ｉ２内への第二の装置Ｄ２の挿入との間、少なくとも部分的に、例えば、手術台、手術ベッド、クッション、くさび等の装置により維持される。いくつかの実施形態において、装置は、例えば、米国特許第７，２３４，１８０号に開示された動的手術台システムであり、これは、本明細書に組み入れられる。いくつかの実施形態において、患者は、体Ｂの冠状面ＣＰが、例えば、図１Ｌで示されるように、手術室の床Ｆに対して角度α、例えば、鋭角で配置されるような姿勢に維持される。
【００３０】
第三の装置Ｄ３、例えば、シュタインマンピンまたはスクリューポスト／拡張スクリューが、（図１Ｅに示されるように）第二の切開Ｉ２に挿入され、第三の装置Ｄ３は、後方アプローチを用いて、第二の外科的経路に沿って延び、第二の椎体Ｖ２の矢状面ＳＰの左に経皮的にかみ合う。いくつかの実施形態において、第三の装置Ｄ３は、第二の椎体Ｖ２の関節突起と第二の椎体Ｖ２の横突起の間の第二の椎体Ｖ２の一部にかみ合う。いくつかの実施形態において、案内孔が、第三の装置Ｄ３のために第二の椎体Ｖ２に形成され、第三の装置Ｄ３が、案内孔内に挿入され、第三の装置Ｄ３の外表面のねじ山が、案内孔を定義する第二の椎体Ｖ２の一部にかみ合い、第三の装置Ｄ３は、第三の装置Ｄ３により定義される長軸の周りに、第三の装置Ｄ３が第二の椎体Ｖ２にねじ式にかみ合うまで回転する。
【００３１】
いくつかの実施形態において、第三の装置Ｄ３は、第二の椎体Ｖ２に、例えば、ねじ回しのようなドライバー、または、第三の装置Ｄ３の近位端にかみ合う機器Ｉを用いて、ねじ込まれる。いくつかの実施形態において、第三の装置Ｄ３は、第二の椎体Ｖ２に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。いくつかの実施形態において、第三の装置Ｄ３は、第二の切開Ｉ２内に挿入され、患者を、第一の装置Ｄ１および第二の装置Ｄ２が、それぞれ第一の切開Ｉ１および第二の切開Ｉ２に挿入され、第一の椎体Ｖ１にかみ合った姿勢から動かすことなしに、第二の椎体Ｖ２の一部にかみ合う。すなわち、患者は、第一の装置Ｄ１および第二の装置Ｄ２を、それぞれ第一の切開Ｉ１および第二の切開Ｉ２内に挿入し、第一の椎体Ｖ１にかみ合った後、第三の装置Ｄ３を、第二の切開Ｉ２内に挿入し第二の椎体Ｖ２にかみ合うようにするために、動かされず、向きも変えられない。いくつかの実施形態において、患者の姿勢は、第一の椎体Ｖ１にかみ合うための第一の切開Ｉ１および第二の切開Ｉ２内への第一の装置Ｄ１および第二の装置Ｄ２のそれぞれの挿入と、第二の椎体Ｖ２にかみ合うための第二の切開Ｉ２内への第三の装置Ｄ３の挿入との間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、図１Ｌで示されるように、手術室の床Ｆに対して角度α、例えば、鋭角で配置されるような姿勢に維持される。
【００３２】
第四の装置Ｄ４、例えば、シュタインマンピンまたはスクリューポスト／拡張スクリューが、（図１Ｅに示されるように）第三の切開Ｉ３に挿入され、第四の装置Ｄ４は、側方アプローチを用いて、第三の外科的経路に沿って延び、第一の椎体Ｖ１の矢状面ＳＰの左に経皮的にかみ合う。いくつかの実施形態において、案内孔が、第四の装置Ｄ４のために第一の椎体Ｖ１に形成され、第四の装置Ｄ４が、案内孔内に挿入され、第四の装置Ｄ４の外表面のねじ山が、案内孔を定義する第一の椎体Ｖ１の一部にかみ合い、第四の装置Ｄ４は、第四の装置Ｄ４により定義される長軸の周りに、第四の装置Ｄ４が第一の椎体Ｖ１にねじ式にかみ合うまで回転する。
【００３３】
いくつかの実施形態において、第四の装置Ｄ４は、第一の椎体Ｖ１に、例えば、ねじ回しのようなドライバー、または、第四の装置Ｄ４の近位端にかみ合う機器Ｉを用いて、ねじ込まれる。いくつかの実施形態において、第四の装置Ｄ４は、第一の椎体Ｖ１に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。いくつかの実施形態において、第四の装置Ｄ４は、患者を、第一の装置Ｄ１、第二の装置Ｄ２および第三の装置Ｄ３が、第一の切開Ｉ１および第二の切開Ｉ２に挿入され、第一の椎体Ｖ１および第二の椎体Ｖ２にかみ合った姿勢から動かすことなしに、第三の切開Ｉ３内に挿入され、第一の椎体Ｖ１にかみ合う。すなわち、患者は、第一の装置Ｄ１、第二の装置Ｄ２、および第三の装置Ｄ３を、第一の切開Ｉ１および第二の切開Ｉ２内に挿入し第一の椎体Ｖ１および第二の椎体Ｖ２にかみ合った後は、第四の装置Ｄ４を、第三の切開Ｉ３内に挿入し第一の椎体Ｖ１にかみ合うようにするために、動かされず、向きも変えられない。いくつかの実施形態において、患者の姿勢は、第一の椎体Ｖ１および第二の椎体Ｖ２にかみ合うための第一の切開Ｉ１および第二の切開Ｉ２内への第一の装置Ｄ１、第二の装置Ｄ２、および第三の装置Ｄ３の挿入と、第一の椎体Ｖ１にかみ合うための第三の切開Ｉ３内への第四の装置Ｄ４の挿入との間、少なくとも部分的に、例えば、手術台、手術ベッド、クッション、くさび等の装置により維持される。いくつかの実施形態において、装置は、例えば、米国特許第７，２３４，１８０号に開示された動的手術台システムであり、これは、本明細書に組み入れられる。いくつかの実施形態において、患者は、体Ｂの冠状面ＣＰが、例えば、図１Ｌで示されるように、手術室の床Ｆに対して、角度α、例えば、鋭角で配置されるような姿勢に維持される。
【００３４】
第五の装置Ｄ５、例えば、シュタインマンピンまたはスクリューポスト／拡張スクリューが、（図１Ｅに示されるように）第三の切開Ｉ３に挿入され、第五の装置Ｄ５は、側方アプローチを用いて、第三の外科的経路に沿って延び、第二の椎体Ｖ２の矢状面ＳＰの左に経皮的にかみ合う。いくつかの実施形態において、案内孔が、第五の装置Ｄ５のために第二の椎体Ｖ２に形成され、第五の装置Ｄ５が、案内孔内に挿入され、第五の装置Ｄ５の外表面のねじ山が、案内孔を定義する第二の椎体Ｖ２の一部にかみ合い、第五の装置Ｄ５は、第五の装置Ｄ５により定義される長軸の周りに、第五の装置Ｄ５が第二の椎体Ｖ２にねじ式にかみ合うまで回転する。
【００３５】
いくつかの実施形態において、第五の装置Ｄ５は、第二の椎体Ｖ２に、例えば、ねじ回しのようなドライバー、または、第五の装置Ｄ５の近位端にかみ合う機器Ｉを用いて、ねじ込まれる。いくつかの実施形態において、第五の装置Ｄ５は、第二の椎体Ｖ２に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。いくつかの実施形態において、第五の装置Ｄ５は、患者を、第一の装置Ｄ１、第二の装置Ｄ２、第三の装置Ｄ３、および第四の装置Ｄ４が、第一の切開Ｉ１、第二の切開Ｉ２、および第三の切開Ｉ３に挿入され、第一の椎体Ｖ１および第二の椎体Ｖ２にかみ合った姿勢から動かすことなしに、第三の切開Ｉ３内に挿入され、第二の椎体Ｖ２にかみ合う。すなわち、患者は、第一の装置Ｄ１、第二の装置Ｄ２、第三の装置Ｄ３、および第四の装置Ｄ４を、第一の切開Ｉ１、第二の切開Ｉ２、および第三の切開Ｉ３内に挿入し第一の椎体Ｖ１および第二の椎体Ｖ２にかみ合った後は、第五の装置Ｄ５を、第三の切開Ｉ３内に挿入し第二の椎体Ｖ２にかみ合うようにするために、動かされず、向きも変えられない。いくつかの実施形態において、患者の姿勢は、第一の椎体Ｖ１および第二の椎体Ｖ２にかみ合うための第一の切開Ｉ１、第二の切開Ｉ２、および第三の切開Ｉ３内への第一の装置Ｄ１、第二の装置Ｄ２、第三の装置Ｄ３、および第四の装置Ｄ４の挿入と、第二の椎体Ｖ２にかみ合うための第三の切開Ｉ３内への第五の装置Ｄ５の挿入との間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば、図１Ｌで示されるように、手術室の床Ｆに対して、角度α、例えば、鋭角で配置されるような姿勢に維持される。
【００３６】
第六の装置Ｄ６、例えば、シュタインマンピンまたはスクリューポスト／拡張スクリューが、（図１Ｅに示されるように）第一の切開Ｉ１に挿入され、第六の装置Ｄ６は、後方アプローチを用いて、第一の外科的経路に沿って延び、第二の椎体Ｖ２の矢状面ＳＰの右に経皮的にかみ合う。いくつかの実施形態において、第六の装置Ｄ６は、第二の椎体Ｖ２の関節突起と第二の椎体Ｖ２の横突起の間の第二の椎体Ｖ２の一部にかみ合う。いくつかの実施形態において、案内孔が、第六の装置Ｄ６のために第二の椎体Ｖ２に形成され、第六の装置Ｄ６が、案内孔内に挿入され、第六の装置Ｄ６の外表面のねじ山が、案内孔を定義する第二の椎体Ｖ２の一部にかみ合い、第六の装置Ｄ６は、第六の装置Ｄ６により定義される長軸の周りに、第六の装置Ｄ６が第二の椎体Ｖ２にねじ式にかみ合うまで回転する。
【００３７】
いくつかの実施形態において、第六の装置Ｄ６は、第二の椎体Ｖ２に、例えば、ねじ回しのようなドライバー、または、第六の装置Ｄ６の近位端にかみ合う機器Ｉを用いて、ねじ込まれる。いくつかの実施形態において、第六の装置Ｄ６は、第二の椎体Ｖ２に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。いくつかの実施形態において、第六の装置Ｄ６は、患者を、第一の装置Ｄ１、第二の装置Ｄ２、第三の装置Ｄ３、第四の装置Ｄ４、および第五の装置Ｄ５が、第一の切開Ｉ１、第二の切開Ｉ２、および第三の切開Ｉ３に挿入され、第一の椎体Ｖ１および第二の椎体Ｖ２にかみ合った姿勢から動かすことなしに、第一の切開Ｉ１内に挿入され、第二の椎体Ｖ２にかみ合う。すなわち、患者は、第一の装置Ｄ１、第二の装置Ｄ２、第三の装置Ｄ３、第四の装置Ｄ４、および第五の装置Ｄ５を、第一の切開Ｉ１、第二の切開Ｉ２、および第三の切開Ｉ３内に挿入し第一の椎体Ｖ１および第二の椎体Ｖ２にかみ合った後は、第六の装置Ｄ６を、第一の切開Ｉ１内に挿入し第二の椎体Ｖ２にかみ合うようにするために、動かされず、向きも変えられない。いくつかの実施形態において、患者の姿勢は、第一の椎体Ｖ１および第二の椎体Ｖ２にかみ合うための第一の切開Ｉ１、第二の切開Ｉ２、および第三の切開Ｉ３内への第一の装置Ｄ１、第二の装置Ｄ２、第三の装置Ｄ３、第四の装置Ｄ４、および第五の装置Ｄ５の挿入と、第二の椎体Ｖ２にかみ合うための第一の切開Ｉ１内への第六の装置Ｄ６の挿入との間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば、図１Ｌで示されるように、手術室の床Ｆに対して、角度α、例えば、鋭角で配置されるような姿勢に維持される。
【００３８】
いくつかの実施形態において、第一の装置Ｄ１、第二の装置Ｄ２、および第四の装置Ｄ４は、第三の装置Ｄ３、第五の装置Ｄ５、および第六の装置Ｄ６に対して動かされ、第一の椎体Ｖ１の位置を第二の椎体Ｖ２に対して動かす。いくつかの実施形態において、第一の装置Ｄ１、第二の装置Ｄ２、および第四の装置Ｄ４は、第三の装置Ｄ３、第五の装置Ｄ５、および第六の装置Ｄ６に対して動かされ、第一の椎体Ｖ１を第二の椎体Ｖ２から離し、例えば、椎体間移植片、拡張可能な椎体間移植片、試験移植片、拡張可能な試験片（例えば、Ｍｅｄｔｒｏｎｉｃ  Ｓｐｉｎｅ  ＳＣＩＳＳＯＲ  ＪＡＣＫ（登録商標）伸延器）、膨張可能な移植片、または、一つまたは複数のフェルンストルムボール（Ｆｅｒｎｓｔｒｏｍ  ｂａｌｌ）のような第七の装置Ｄ７のための空間を作る。いくつかの実施形態において、図１Ｍに示されたように、例えば、第一の装置Ｄ１は、第六の装置Ｄ６から、第一の隔たりＧ１だけ離れており、第二の装置Ｄ２は、第三の装置Ｄ３から、第二の隔たりＧ２だけ離れており、第一の隔たりＧ１の広さを少なくするように、第一の装置Ｄ１は、第六の装置Ｄ６に向かって引っ張られ、および／または、第六の装置Ｄ６は、第一の装置Ｄ１に向かって引っ張られ、かつ、第二の隔たりＧ２の広さを少なくするように、第二の装置Ｄ２は、第三の装置Ｄ３に向かって引っ張られ、および／または、第三の装置Ｄ３は、第二の装置Ｄ２に向かって引っ張られる。第一の隔たりＧ１および第二の隔たりＧ２の広さを少なくすることは、部分Ｐにおける第一の椎体Ｖ１および第二の椎体Ｖ２の間隔を減らし、第七の装置Ｄ７の挿入を容易にするように、部分Ａ、ＲＬ、ＬＬにおける第一の椎体Ｖ１および第二の椎体Ｖ２の間隔を大きくする。
【００３９】
第七の装置Ｄ７は、第三の切開Ｉ３に挿入され、第七の装置Ｄ７は、側方アプローチを用いて、第三の外科的経路に沿って延び、例えば、図１Ｇに示されるように、第一の椎体Ｖ１と第二の椎体Ｖ２の間の空間に第七の装置Ｄ７を経皮的に配置する。いくつかの実施形態において、第七の装置Ｄ７は、患者を、第一の装置Ｄ１、第二の装置Ｄ２、第三の装置Ｄ３、第四の装置Ｄ４、第五の装置Ｄ５、および第六の装置Ｄ６が、第一の切開Ｉ１、第二の切開Ｉ２、および第三の切開Ｉ３内に挿入され、第一の椎体Ｖ１および第二の椎体Ｖ２にかみ合った姿勢から動かすことなしに、第三の切開Ｉ３に挿入され、第一の椎体Ｖ１と第二の椎体Ｖ２の間の空間に配置する。すなわち、患者は、第一の装置Ｄ１、第二の装置Ｄ２、第三の装置Ｄ３、第四の装置Ｄ４、第五の装置Ｄ５、および第六の装置Ｄ６を、第一の切開Ｉ１および第二の切開Ｉ２内に挿入し、第一の椎体Ｖ１および第二の椎体Ｖ２にかみ合った後は、第七の装置Ｄ７を、第三の切開Ｉ３内に挿入し第一の椎体Ｖ１と第二の椎体Ｖ２の間の空間に配置するために、動かされず、向きも変えられない。いくつかの実施形態において、第四の装置Ｄ４および第五の装置Ｄ５は、例えば、図１Ｈに示されるように、第七の装置Ｄ７が第一の椎体Ｖ１と第二の椎体Ｖ２の間の空間に配置された後取り除かれる。
【００４０】
図１Ｏに示された一つの実施形態において、第四の装置Ｄ４および第五の装置Ｄ５は、第七の装置Ｄ７が第一の椎体Ｖ１と第二の椎体Ｖ２の間の空間に配置された後、第三の切開Ｉ３を通って挿入される。すなわち、第一の装置Ｄ１、第二の装置Ｄ２、第三の装置Ｄ３、および第六の装置Ｄ６は、上述のように、第一の切開Ｉ１および第二の切開Ｉ２を通って挿入され、第一の椎体Ｖ１および第二の椎体Ｖ２にかみ合う。第一の装置Ｄ１および第二の装置Ｄ２は、第三の装置Ｄ３および第六の装置Ｄ６に対して動かされ、第一の椎体Ｖ１を第二の椎体Ｖ２の方へ動かし、第一の椎体Ｖ１と第二の椎体Ｖ２の間に第七の装置Ｄ７のための空間を作る。第七の装置Ｄ７は、上述のように、第三の切開Ｉ３を通って、第一の椎体Ｖ１と第二の椎体Ｖ２の間の空間に挿入される。第四の装置Ｄ４および第五の装置Ｄ５は、上述のように、第三の切開Ｉ３を通って、第四の装置Ｄ４および第五の装置Ｄ５が、第一の椎体Ｖ１と第二の椎体Ｖ２を通って第七の装置Ｄ７内に延びるまで、挿入される。
【００４１】
いくつかの実施形態において、第一の装置Ｄ１、第二の装置Ｄ２、第三の装置Ｄ３、および第六の装置Ｄ６は、ロボットによる外科的処置をナビゲーションするまたは、実行する際に、参照のために、基準のピンおよび／または外科的目印として使用される。
【００４２】
図１Ｑに示された一つの実施形態において、第一の装置Ｄ１、第二の装置Ｄ２、第三の装置Ｄ３、第四の装置Ｄ４、第五の装置Ｄ５、第六の装置Ｄ６、および第七の装置Ｄ７の少なくとも一つは、例えば、統合型神経モニタリングおよび／またはナビゲーション機能を有する機器Ｎのような機器を用いて、体Ｂ内に挿入される。いくつかの実施形態において、機器Ｎは、第一の装置Ｄ１、第二の装置Ｄ２、第三の装置Ｄ３、第四の装置Ｄ４、第五の装置Ｄ５、第六の装置Ｄ６、および第七の装置Ｄ７の少なくとも一つの軌道を確立し、および／または監視するために使用される。すなわち、機器Ｎは、構造がリアルタイムに変化したとしても、第一の装置Ｄ１、第二の装置Ｄ２、第三の装置Ｄ３、第四の装置Ｄ４、第五の装置Ｄ５、第六の装置Ｄ６、および第七の装置Ｄ７の少なくとも一つのために、患者の構造に関して安全な軌道を決定し、および／若しくは選択するのに使用され得、ならびに／または、第一の装置Ｄ１、第二の装置Ｄ２、第三の装置Ｄ３、第四の装置Ｄ４、第五の装置Ｄ５、第六の装置Ｄ６、および第七の装置Ｄ７の少なくとも一つが、選択された軌道を用いて、挿入され、および／若しくは移植されるのを確実にし得る。いくつかの実施形態において、機器Ｎは、例えば、ＳｔｅａｌｔｈＳｔａｔｉｏｎ（登録商標）Ｓ７（登録商標）、ＳｔｅａｌｔｈＳｔａｔｉｏｎ  ｉ７（商標）、ＳｔｅａｌｔｈＳｔａｔｉｏｎ  ｉＮａｖ（登録商標）、ＡｘｉＥＭ  Ｅｌｅｃｔｒｏｍａｇｎｅｔｉｃ  Ｎａｖｉｇａｔｉｏｎ  Ｓｙｓｔｅｍ、Ｆｕｓｉｏｎ（商標）ＥＮＴおよび／またはＳｔｅａｌｔｈＶｉｚ（商標）Ｐｌａｎｎｉｎｇ  Ｓｔａｔｉｏｎのような、Ｍｅｄｔｒｏｎｉｃにより販売されているナビゲーションシステムの一部である。いくつかの実施形態において、機器Ｎおよび／または、統合型神経モニタリングおよび／またはナビゲーション機能を有する別の機器の使用は、医療従事者がより安全で、より正確な処置を行い、処置の侵襲性および危険性を減らし、および／または患者の予後および回復を向上させるのを助ける。
【００４３】
いくつかの実施形態において、画像化は、上記のアプローチを用いて、第一の装置Ｄ１、第二の装置Ｄ２、第三の装置Ｄ３、第四の装置Ｄ４、第五の装置Ｄ５、第六の装置Ｄ６、および第七の装置Ｄ７の少なくとも一つが、第一の切開Ｉ１、第二の切開Ｉ２、第三の切開Ｉ３を通る軌道を確立し、および／または監視するために使用される。一つの実施形態において、例えば、Ｍｅｄｔｒｏｎｉｃから入手可能なＯ−アーム外科手術イメージングシステム（Ｏ−ａｒｍ  Ｓｕｒｇｉｃａｌ  Ｉｍａｇｉｎｇ  Ｓｙｓｔｅｍ）のような画像化システムは、術中の画像化を用いて、第一の装置Ｄ１、第二の装置Ｄ２、第三の装置Ｄ３、第四の装置Ｄ４、第五の装置Ｄ５、第六の装置Ｄ６、および第七の装置Ｄ７の少なくとも一つの軌道を確立し、および／または監視するために使用される。Ｏ−アーム外科手術イメージングシステムは、他のものの中で、リアルタイムの、多平面３Ｄ画像（および２Ｄ画像）への素早いアクセスを提供し、例えば脊椎処置のような、処置の独特な作業工程への完全なサポートを提供し、（例えば、Ｘ線への暴露を減らすことにより）手術スタッフへの放射線照射量を最小化し、かつハードウェア設置療法を確認するために可視化を提供し、潜在的にやり直し手術を減らす。
【００４４】
いくつかの実施形態において、第四の装置Ｄ４は、第一の装置Ｄ１および第二の装置Ｄ２の少なくとも一つと交差し、第四の装置Ｄ４は、第一の装置Ｄ１および第二の装置Ｄ２の少なくとも一つを通って延びる。すなわち、第一の装置Ｄ１および第二の装置Ｄ２の少なくとも一つは、例えば骨のような組織を突き通すように構成されているねじ軸を含み、ここで、少なくとも一つの穴が、穴が、第一の装置Ｄ１または第二の装置Ｄ２によって定義された長軸を横切って延びるように、ねじ軸を通って延びる。第四の装置Ｄ４の軸は、第一の装置Ｄ１の穴の一つ、および／または第二の装置Ｄ２の穴の一つを通って延びる。いくつかの実施形態において、第一の装置Ｄ１、第二の装置Ｄ２、および第四の装置Ｄ４は、構造および／または機能において、米国特許出願第１３／４４６，３４７号に開示されたカニューレ状で有窓の骨固定具の要素に類似である。
【００４５】
いくつかの実施形態において、第五の装置Ｄ５は、第六の装置Ｄ６および第三の装置Ｄ３の少なくとも一つと交差し、第五の装置Ｄ５は、第六の装置Ｄ６および第三の装置Ｄ３の少なくとも一つを通って延びる。すなわち、第六の装置Ｄ６および第三の装置Ｄ３の少なくとも一つは、例えば骨のような組織を突き通すように構成されているねじ軸を含み、ここで、少なくとも一つの穴が、穴が、第六の装置Ｄ６または第三の装置Ｄ３によって定義された長軸を横切って延びるように、ねじ軸を通って延びる。第五の装置Ｄ５の軸は、第六の装置Ｄ６の穴の一つ、および／または第三の装置Ｄ３の穴の一つを通って延びる。いくつかの実施形態において、第三の装置Ｄ３、第五の装置Ｄ５、および第六の装置Ｄ６は、構造および／または機能において、米国特許出願第１３／４４６，３４７号に開示されたカニューレ状で有窓の骨固定具の要素に類似である。
【００４６】
いくつかの実施形態において、第一の装置Ｄ１、第二の装置Ｄ２、第三の装置Ｄ３、第四の装置Ｄ４、第五の装置Ｄ５、および第六の装置Ｄ６の少なくとも一つは、第一の装置Ｄ１、第二の装置Ｄ２、第三の装置Ｄ３、第四の装置Ｄ４、第五の装置Ｄ５、および第六の装置Ｄ６の少なくとも別の一つに固定されている。いくつかの実施形態において、第一の装置Ｄ１、第二の装置Ｄ２、第三の装置Ｄ３、第四の装置Ｄ４、第五の装置Ｄ５、および第六の装置Ｄ６の少なくとも一つは、手術ベッド、例えば、手術ベッドのフレームに固定されている。いくつかの実施形態において、第一の装置Ｄ１、第二の装置Ｄ２、第三の装置Ｄ３、第四の装置Ｄ４、第五の装置Ｄ５、および第六の装置Ｄ６の少なくとも一つは、奇形を矯正するように椎骨Ｖを操作するように使用される一方、第一の装置Ｄ１、第二の装置Ｄ２、第三の装置Ｄ３、第四の装置Ｄ４、第五の装置Ｄ５、および第六の装置Ｄ６の少なくとも一つは、上述のように第七の装置Ｄ７のための空間を作るために、第一の椎体Ｖ１と第二の椎体Ｖ２の間に空間を伸延するように使用される。
【００４７】
いくつかの実施形態において、第一の装置Ｄ１、第二の装置Ｄ２、第三の装置Ｄ３、第四の装置Ｄ４、第五の装置Ｄ５、および第六の装置Ｄ６の少なくとも一つは、カニューレ状であり、および／または有窓の釘またはチューブである。いくつかの実施形態において、第一の装置Ｄ１、第二の装置Ｄ２、第三の装置Ｄ３、第四の装置Ｄ４、第五の装置Ｄ５、および第六の装置Ｄ６の少なくとも一つは、カニューレ状であり、および／または有窓のねじである。第一の装置Ｄ１、第二の装置Ｄ２、第三の装置Ｄ３、第四の装置Ｄ４、第五の装置Ｄ５、および第六の装置Ｄ６の少なくとも一つが、ねじである、いくつかの実施形態において、ねじのねじ山は、硬い皮質骨と柔らかい海綿骨の層を有する骨の構造におけるねじの引っ掛かりを最適にするために、変化するピッチおよび／またはネジ山の数を有する、Ｍｅｄｔｒｏｎｉｃから入手可能なＯＳＴＥＯＧＲＩＰ（登録商標）ねじ山パターンを含み得る。いくつかの実施形態において、ガイドワイヤーが、第一の装置Ｄ１、第二の装置Ｄ２、第三の装置Ｄ３、第四の装置Ｄ４、第五の装置Ｄ５、および第六の装置Ｄ６の少なくとも一つを導くために挿入される。すなわち、少なくとも一つのガイドワイヤーが、第一の椎体Ｖ１および／または第二の椎体Ｖ２内に挿入される。ガイドワイヤーの一つが、第一の装置Ｄ１、第二の装置Ｄ２、第三の装置Ｄ３、第四の装置Ｄ４、第五の装置Ｄ５、および第六の装置Ｄ６のうちの一つのカニューレに挿入される。第一の装置Ｄ１、第二の装置Ｄ２、第三の装置Ｄ３、第四の装置Ｄ４、第五の装置Ｄ５、および第六の装置Ｄ６は、その後ガイドワイヤーに沿ってスライドし、上述のように、第一の装置Ｄ１、第二の装置Ｄ２、第三の装置Ｄ３、第四の装置Ｄ４、第五の装置Ｄ５、および第六の装置Ｄ６にかみ合う。
【００４８】
いくつかの実施形態において、第一の装置Ｄ１、第二の装置Ｄ２、第三の装置Ｄ３、第四の装置Ｄ４、第五の装置Ｄ５、および第六の装置Ｄ６の少なくとも一つは、例えば、米国特許第６，５６５，５７２号および／または米国特許出願第１３／３９７，３１６に開示された、窓のないカニューレ状のねじ、および／または、カニューレに伝達する少なくとも一つの側方窓を有するカニューレ状のねじである。いくつかの実施形態において、材料が、第一の装置Ｄ１、第二の装置Ｄ２、第三の装置Ｄ３、第四の装置Ｄ４、第五の装置Ｄ５、および第六の装置Ｄ６の少なくとも一つのカニューレおよび／または窓を通って導入され、材料を第一の椎体Ｖ１および／または第二の椎体Ｖ２に送達する。いくつかの実施形態において、材料は、骨用セメント、例えば、骨形成タンパク質（ＢＭＰ）のような骨成長材料、鎮痛剤および／または抗炎症剤である。いくつかの実施形態において、機器が、第一の装置Ｄ１、第二の装置Ｄ２、第三の装置Ｄ３、第四の装置Ｄ４、第五の装置Ｄ５、および第六の装置Ｄ６の少なくとも一つのカニューレおよび／または窓を通って導入され、ナビゲーション性能を提供する、および／または、骨の成長を刺激する。いくつかの実施形態において、機器は、プローブおよび／または電極である。
【００４９】
図２Ａに示された一つの実施形態において、例えば、骨ねじのような第一の装置Ｄ１０が、後方アプローチを用いて、第一の外科的経路を通って配置され、第一の椎体Ｖ１の矢状面ＳＰの右に経皮的にかみ合う。いくつかの実施形態において、第一の装置Ｄ１０は、第一の椎体Ｖ１の関節突起と第一の椎体Ｖ１の横突起の間の、第一の椎体Ｖ１の一部分にかみ合う。いくつかの実施形態において、案内孔が、第一の装置Ｄ１０のために第一の椎体Ｖ１に形成され、第一の装置Ｄ１０が、案内孔内に挿入され、第一の装置Ｄ１０の軸１２の外表面のねじ山が、案内孔を定義する第一の椎体Ｖ１の一部にかみ合い、第一の装置Ｄ１０は、軸１２により定義される長軸Ｌの周りに、第一の装置Ｄ１０が第一の椎体Ｖ１にねじ式にかみ合うまで回転する。いくつかの実施形態において、第一の装置Ｄ１０は、案内孔および／または第一の椎体Ｖ１に、例えば、軸１２の部分１４にかみ合う道具にかみ合うドライバーのような機器を用いて、ねじ込まれる。いくつかの実施形態において、第一の装置Ｄ１０は、第一の椎体Ｖ１に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。いくつかの実施形態において、第一の装置Ｄ１０は、軸１２に回転可能に結合したレシーバー１６を含む。レシーバー１６は、例えば、手術用ロッドのような接続要素を配置するために構成された、例えば、Ｕ型インプラント窩のような、インプラント窩を定義する一対のアーム（例えば、Ｍｅｄｔｒｏｎｉｃ  ＣＤ  ＨＯＲＩＺＯＮ（登録商標）ＳＯＬＥＲＡ（登録商標）脊椎インプラントシステムの一部として入手可能な多軸ねじ（ＭＡＳ）の「チューリップ状ヘッド」）を含む。いくつかの実施形態において、第一の装置Ｄ１０は、長軸Ｌが、矢状面ＳＰに対して角度βで延びるように、第一の椎体Ｖ１内に挿入される。いくつかの実施形態において、角度βは、鋭角である。いくつかの実施形態において、角度βは、約１〜４５°の角度である。いくつかの実施形態において、軸１２は、例えば、滑らかな、環状の、および／または、例えば、四角形、多角形または丸のような種々の断面形状を有するような形状に、さまざまに形成され得る。いくつかの実施形態において、レシーバー１６は、軸に固定されており、第一の装置Ｄ１０は、単軸または一軸ねじである。
【００５０】
いくつかの実施形態において、第一の装置Ｄ１０が、後方アプローチを用いて、第一の外科的経路を通って配置され、第一の椎体Ｖ１の矢状面ＳＰの左に経皮的にかみ合い、第一の装置Ｄ１０は、長軸Ｌが、矢状面ＳＰに対して角度γで延びるように、第一の椎体Ｖ１内に挿入される。いくつかの実施形態において、角度γは、鋭角である。いくつかの実施形態において、角度γは、約１〜４５°の角度である。
【００５１】
第二の装置Ｄ２０が、側方アプローチを用いて、第二の外科的経路を通って配置され、第一の椎体Ｖ１の矢状面ＳＰの左に経皮的にかみ合う。いくつかの実施形態において、案内孔が、第二の装置Ｄ２０のために第一の椎体Ｖ１に形成され、第二の装置Ｄ２０が、案内孔内に挿入され、第二の装置Ｄ２０の軸１８の外表面のねじ山が、案内孔を定義する第一の椎体Ｖ１の一部にかみ合い、第二の装置Ｄ２０は、軸１８により定義される長軸Ｌ１の周りに、第二の装置Ｄ２０が第一の椎体Ｖ１にねじ式にかみ合うまで回転する。いくつかの実施形態において、第二の装置Ｄ２０は、案内孔および／または第一の椎体Ｖ１に、例えば、軸１８の部分２０にかみ合う道具にかみ合うドライバーのような機器を用いて、ねじ込まれる。いくつかの実施形態において、第二の装置Ｄ２０は、第一の椎体Ｖ１に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。図２Ａに示されるように、第二の装置Ｄ２０は、第一の装置Ｄ１０に対して、軸１２が軸１８から間隔が離れているように、挿入される。いくつかの実施形態において、第二の装置Ｄ２０は、長軸Ｌ１が冠状面ＣＰに対して平行に延びるように、第一の椎体Ｖ１に挿入される。いくつかの実施形態において、軸Ｌ１は、冠状面ＣＰに対して角度λで延びる。いくつかの実施形態において、角度λは、鋭角である。いくつかの実施形態において、角度λは、約１〜４５°の角度である。いくつかの実施形態において、軸Ｌ１は、冠状面ＣＰに対して角度δで延びる。いくつかの実施形態において、角度δは、鋭角である。いくつかの実施形態において、角度δは、約１〜４５°の角度である。いくつかの実施形態において、第二の装置Ｄ２０が、側方アプローチを用いて、第二の外科的経路を通って配置され、第一の椎体Ｖ１の矢状面ＳＰの右に経皮的にかみ合う。いくつかの実施形態において、第一の装置Ｄ１０と第二の装置Ｄ２０は、それぞれ体Ｂの同じ横断面にある。いくつかの実施形態において、軸１８は、例えば、滑らかな、環状の、および／または、例えば、四角形、多角形または丸のような種々の断面形状を有するような形状に、さまざまに形成され得る。
【００５２】
いくつかの実施形態において、第二の装置Ｄ２０は、患者を、第一の装置Ｄ１０が、第一の外科的経路を通って第一の椎体Ｖ１にかみ合うように挿入された姿勢から動かすことなしに、第二の外科的経路を通って第一の椎体Ｖ１にかみ合うように挿入される。すなわち、患者は、第一の装置Ｄ１０を、体Ｂに挿入し第一の椎体Ｖ１にかみ合った後は、第二の装置Ｄ２０を、第一の椎体Ｖ１にかみ合うように体Ｂに挿入するために、動かされず、向きも変えられない。いくつかの実施形態において、患者の姿勢は、第一の椎体Ｖ１にかみ合うための第一の外科的経路を通った第一の装置Ｄ１０の挿入と、第一の椎体Ｖ１にかみ合うための第二の外科的経路を通った第二の装置Ｄ２０の挿入との間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【００５３】
図２Ｂに示された一つの実施形態において、図２Ｂの軸１８の長さは、図２Ａの軸１８の長さより長く、軸１２の遠位先端１３が、第一の椎体Ｖ１への負荷を増すように、軸１８にかみ合う、および／または、軸１８のすぐそば、特に、骨構造に追加の負荷がかけられる軸の近くのいかなる点まで来る。ヴォルフの法則によれば、骨、例えば、椎骨への負荷を増やすと、骨が、時間がたつと、そのような付加された負荷に抵抗するように、それ自身を再構成することになる。すなわち、骨は、例えば、皮質骨の厚さを増すことにより、より強くなるであろう。いくつかの実施形態において、第一の椎体Ｖ１への負荷の量は、軸１８が軸１２から間隔が離れているときより、軸１８が軸１２にかみ合ったときに、増加される。したがって、図２Ａ〜図２Ｉに示されるように配置された移植片の組み合わせは、そうしないと弱く、構造的に損なわれ、および／または折れるであろう椎骨を強くするように働くと共に、椎骨内に硬質および／または半硬質支持構造を作るように働き得る。
【００５４】
また図２Ｂに示されたように、例えば、骨ねじのような第三の装置Ｄ３０が、後方アプローチを用いて、第三の外科的経路を通って配置され、第一の椎体Ｖ１の矢状面ＳＰの左に経皮的にかみ合う。いくつかの実施形態において、第三の装置Ｄ３０は、第一の椎体Ｖ１の関節突起と第一の椎体Ｖ１の横突起の間の、第一の椎体Ｖ１の一部分にかみ合う。いくつかの実施形態において、案内孔が、第三の装置Ｄ３０のために第一の椎体Ｖ１に形成され、第三の装置Ｄ３０が、案内孔内に挿入され、第三の装置Ｄ３０の軸２２の外表面のねじ山が、案内孔を定義する第一の椎体Ｖ１の一部にかみ合い、第三の装置Ｄ３０は、軸２２により定義される長軸Ｌ２の周りに、第三の装置Ｄ３０が第一の椎体Ｖ１にねじ式にかみ合うまで回転する。いくつかの実施形態において、第三の装置Ｄ３０は、案内孔および／または第一の椎体Ｖ１に、例えば、軸２２の部分２４にかみ合う道具にかみ合うドライバーのような機器を用いて、ねじ込まれる。いくつかの実施形態において、第三の装置Ｄ３０は、軸２２に回転可能に結合したレシーバー２６を含む。レシーバー２６は、例えば、手術用ロッドのような接続要素を配置するために構成された、例えば、Ｕ型インプラント窩のような、インプラント窩を定義する一対のアーム（例えば、典型的に、脊椎インプラントシステムにおける多軸ねじに関連した「チューリップ状ヘッド」）を含む。いくつかの実施形態において、第三の装置Ｄ３０は、長軸Ｌ２が、矢状面ＳＰに対して角度εで延びるように、第一の椎体Ｖ１内に挿入される。いくつかの実施形態において、角度εは、鋭角である。いくつかの実施形態において、角度εは、約１〜４５°の角度である。いくつかの実施形態において、第一の装置Ｄ１０、第二の装置Ｄ２０、および第三の装置Ｄ３０は、それぞれ体Ｂの同じ横断面にある。いくつかの実施形態において、軸２２は、例えば、滑らかな、環状の、および／または四角形、多角形または丸のような種々の断面形状を有するような形状に、さまざまに形成され得る。
【００５５】
いくつかの実施形態において、第三の装置Ｄ３０は、第二の装置Ｄ２０に実質的に類似である。いくつかの実施形態において、軸Ｌは、矢状面ＳＰに対して第一の角度（例えば、角度β）で延び、軸Ｌ２は、矢状面ＳＰに対して第二の角度（例えば、角度ε）で延び、ここで、第一の角度と第二の角度は、逆角度である。すなわち、軸Ｌが矢状面ＳＰに対して延びる角度は、軸Ｌ２が矢状面ＳＰに対して延びる角度の逆数である。例えば、軸Ｌが矢状面ＳＰに対して３０°の角度βで延びるなら、軸Ｌ２は矢状面ＳＰに対して−３０°の角度εで延び、逆も同様である。
【００５６】
図２Ｂに示されるように、第三の装置Ｄ３０は、第二の装置Ｄ２０に対して、軸２２の遠位先端２３が、軸１８にかみ合い、第一の椎体Ｖ１への負荷を増すように配置される。すなわち、第一の椎体Ｖ１への負荷の量は、軸２２が軸１８にかみ合うことなく軸１８が軸１２にかみ合うときより、軸２２が軸１８にかみ合いかつ軸１８が軸１２にかみ合うときに増加される。ヴォルフの法則によれば、軸１２および軸２２を、それぞれ軸１８にかみ合わせることによって得られた負荷の増加は、第一の椎体Ｖ１を、例えば、皮質骨の厚さを増すことにより、より強くする。
【００５７】
いくつかの実施形態において、第三の装置Ｄ３０は、患者を、第一の装置Ｄ１０が、第一の外科的経路を通って第一の椎体Ｖ１にかみ合うように挿入され、第二の装置Ｄ２０が、第二の外科的経路を通って第一の椎体Ｖ１にかみ合うように挿入された姿勢から動かすことなしに、第三の外科的経路を通って第一の椎体Ｖ１にかみ合うように挿入される。すなわち、患者は、第一の装置Ｄ１０および第二の装置Ｄ２０を、ボディＢに挿入し第一の椎体Ｖ１にかみ合った後は、第三の装置Ｄ３０を、第一の椎体Ｖ１にかみ合うように体Ｂに挿入するために、動かされず、向きも変えられない。いくつかの実施形態において、患者の姿勢は、第一の椎体Ｖ１にかみ合うための第一の外科的経路を通った第一の装置Ｄ１０の挿入、第一の椎体Ｖ１にかみ合うための第二の外科的経路を通った第二の装置Ｄ２０の挿入、および第一の椎体Ｖ１にかみ合うための第三の外科的経路を通った第三の装置Ｄ３０の挿入の間、少なくとも部分的に、例えば、手術台、手術ベッド、クッション、くさび等の装置により維持される。いくつかの実施形態において、装置は、例えば、米国特許第７，２３４，１８０号に開示された動的手術台システムであり、これは組み入れられる。いくつかの実施形態において、患者は、体Ｂの冠状面ＣＰが、例えば図１Ｌで示されるように、手術室の床Ｆに対して角度α、例えば、鋭角で配置されるような姿勢に維持される。
【００５８】
図２Ｃに示されるように、第一の装置Ｄ１０が、後方アプローチを用いて、第一の外科的経路を通って配置され、第一の椎体Ｖ１の矢状面ＳＰの右に経皮的にかみ合う。第一の装置Ｄ１０は、第一の椎体Ｖ１の関節突起と第一の椎体Ｖ１の横突起の間の、第一の椎体Ｖ１の一部分にかみ合う。第一の装置Ｄ１０は、長軸Ｌが、矢状面ＳＰに対して角度βで延びるように、第一の椎体Ｖ１内に挿入される。いくつかの実施形態において、角度βは、鋭角である。いくつかの実施形態において、角度βは、約１〜４５°の角度である。
【００５９】
第二の装置Ｄ２０が、側方アプローチを用いて、第二の外科的経路を通って配置され、第一の椎体Ｖ１の矢状面ＳＰの左に経皮的にかみ合う。第二の装置Ｄ２０は、長軸Ｌ１が冠状面ＣＰに対して平行に延びるように、第一の椎体Ｖ１内に挿入される。いくつかの実施形態において、軸Ｌ１は、冠状面ＣＰに対して角度λで延びる。いくつかの実施形態において、角度λは、鋭角である。いくつかの実施形態において、角度λは、約１〜４５°の角度である。いくつかの実施形態において、軸Ｌ１は、冠状面ＣＰに対して角度δで延びる。いくつかの実施形態において、角度δは、鋭角である。いくつかの実施形態において、角度δは、約１〜４５°の角度である。いくつかの実施形態において、第二の装置Ｄ２０が、側方アプローチを用いて、第二の外科的経路を通って配置され、第一の椎体Ｖ１の矢状面ＳＰの右に経皮的にかみ合う。いくつかの実施形態において、第一の装置Ｄ１０と第二の装置Ｄ２０は、それぞれ体Ｂの同じ横断面にある。図２Ｃに示されるように、軸１８は、軸１２にかみ合い、第一の椎体Ｖ１への負荷を増加する。
【００６０】
いくつかの実施形態において、第二の装置Ｄ２０は、患者を、第一の装置Ｄ１０が、第一の外科的経路を通って第一の椎体Ｖ１にかみ合うように挿入された姿勢から動かすことなしに、第二の外科的経路を通って第一の椎体Ｖ１にかみ合うように挿入される。すなわち、患者は、第一の装置Ｄ１０を、体Ｂに挿入し、第一の椎体Ｖ１にかみ合った後は、第二の装置Ｄ２０を、第一の椎体Ｖ１にかみ合うように体Ｂに挿入するために、動かされず、向きも変えられない。いくつかの実施形態において、患者の姿勢は、第一の椎体Ｖ１にかみ合うための第一の外科的経路を通った第一の装置Ｄ１０の挿入と、第一の椎体Ｖ１にかみ合うための第二の外科的経路を通った第二の装置Ｄ２０の挿入との間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【００６１】
図２Ｄに示された一つの実施形態において、第一の装置Ｄ１０は、図２Ａおよび／または図２Ｂを参照して上記で述べられたように、後方アプローチを用いて、第一の外科的経路を通って配置され、第一の椎体Ｖ１の矢状面ＳＰの右に経皮的にかみ合う、カニューレ状の骨ねじである。第二の装置Ｄ２０は、図２Ａおよび／または図２Ｂを参照して上記で述べられたように、側方アプローチを用いて、第二の外科的経路を通って配置され、第一の椎体Ｖ１の矢状面ＳＰの左に経皮的にかみ合う、カニューレ状の骨ねじである。図２Ｄで示されるように、第二の装置Ｄ２０は、第一の装置Ｄ１０に対して、軸１２が軸１８から間隔が離れているように、挿入される。いくつかの実施形態において、第二の装置Ｄ２０は、長軸Ｌ１が冠状面ＣＰに対して平行に延びるように、第一の椎体Ｖ１に挿入される。いくつかの実施形態において、軸Ｌ１は、冠状面ＣＰに対して角度λで延びる。いくつかの実施形態において、角度λは、鋭角である。いくつかの実施形態において、角度λは、約１〜４５°の角度である。いくつかの実施形態において、軸Ｌ１は、冠状面ＣＰに対して角度δで延びる。いくつかの実施形態において、角度δは、鋭角である。いくつかの実施形態において、角度δは、約１〜４５°の角度である。いくつかの実施形態において、第二の装置Ｄ２０が、側方アプローチを用いて、第二の外科的経路を通って配置され、第一の椎体Ｖ１の矢状面ＳＰの右に経皮的にかみ合う。いくつかの実施形態において、第一の装置Ｄ１０と第二の装置Ｄ２０は、それぞれ体Ｂの同じ横断面にある。
【００６２】
いくつかの実施形態において、第二の装置Ｄ２０は、患者を、第一の装置Ｄ１０が、第一の外科的経路を通って第一の椎体Ｖ１にかみ合うように挿入された姿勢から動かすことなしに、第二の外科的経路を通って第一の椎体Ｖ１にかみ合うように挿入される。すなわち、患者は、第一の装置Ｄ１０を、体Ｂに挿入し第一の椎体Ｖ１にかみ合った後は、第二の装置Ｄ２０を、第一の椎体Ｖ１にかみ合うように体Ｂに挿入するために、動かされず、向きも変えられない。いくつかの実施形態において、患者の姿勢は、第一の椎体Ｖ１にかみ合うための第一の外科的経路を通った第一の装置Ｄ１０の挿入と、第一の椎体Ｖ１にかみ合うための第二の外科的経路を通った第二の装置Ｄ２０の挿入との間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【００６３】
いくつかの実施形態において、ガイドワイヤーが、第一の装置Ｄ１０および第二の装置Ｄ２０の少なくとも一つを導くために挿入される。すなわち、少なくとも一つのガイドワイヤーが、第一の椎体Ｖ１内に挿入される。ガイドワイヤーの一つが、第一の装置Ｄ１０および第二の装置Ｄ２０のうちの一つのカニューレに挿入される。第一の装置Ｄ１０および第二の装置Ｄ２０は、その後ガイドワイヤーに沿ってスライドし、上述のように、第一の装置Ｄ１０および第二の装置Ｄ２０を第一の椎体Ｖ１にかみ合わせる。
【００６４】
いくつかの実施形態において、材料が、第一の装置Ｄ１０および第二の装置Ｄ２０の少なくとも一つのカニューレ通って導入され、材料を第一の椎体Ｖ１に送達する。いくつかの実施形態において、材料は、骨用セメント、例えば、骨形成タンパク質（ＢＭＰ）のような骨成長材料、鎮痛剤および／または抗炎症剤である。いくつかの実施形態において、機器が、第一の装置Ｄ１０および第二の装置Ｄ２０の少なくとも一つのカニューレを通って導入され、ナビゲーション性能を提供する、および／または、骨の成長を刺激する。いくつかの実施形態において、機器は、プローブおよび／または電極である。
【００６５】
図２Ｅに示された一つの実施形態において、図２Ｅの軸１２の長さは、図２Ａの軸１２の長さより長く、軸１８の遠位先端１９が、第一の椎体Ｖ１への負荷を増すように軸１２にかみ合い、先端１３は、軸１８から間隔が離れている。一つの実施形態において、第一の装置Ｄ１０は、椎弓根スクリューであり、第二の装置Ｄ２０は、最大長さが、第一の装置Ｄ１０の長さより短い横向きスクリューである。
【００６６】
図２Ｆに示された一つの実施形態において、図２Ｆの軸１８の長さは、図２Ａの軸１８の長さより長く、軸１２の先端１３が、第一の椎体Ｖ１への負荷を増すように軸１８にかみ合い、先端１９は、軸１２から間隔が離れている。一つの実施形態において、第一の装置Ｄ１０は、椎弓根スクリューであり、第二の装置Ｄ２０は、最大長さが、第一の装置Ｄ１０の長さより長い横向きスクリューである。
【００６７】
図２Ｇ〜図２Ｉに示された一つの実施形態において、第一の装置Ｄ１０が、後方アプローチを用いて、第一の外科的経路を通って配置され、第一の椎体Ｖ１の矢状面ＳＰの右に経皮的にかみ合う。第一の装置Ｄ１０は、長軸Ｌが、冠状面ＣＰに対して鋭角で延び、軸１２が第一の椎体Ｖ１を通って頭蓋方向に延びるように、第一の椎体Ｖ１の関節突起と第一の椎体Ｖ１の横突起の間の、第一の椎体Ｖ１の一部分にかみ合う。第二の装置Ｄ２０が、側方アプローチを用いて、第二の外科的経路を通って配置され、第一の椎体Ｖ１の矢状面ＳＰの左に経皮的にかみ合う。第二の装置Ｄ２０は、長軸Ｌ１が冠状面ＣＰおよび／または体Ｂの横断面ＴＰに対して平行に延びるように、第一の椎体Ｖ１に挿入される。軸１２および／または先端１３は、体Ｂの頭蓋端部に向かって、軸１８より近く配置され、軸１２は、軸１８から間隔が離れている。第三の装置Ｄ３０が、後方アプローチを用いて、第三の外科的経路を通って配置され、第一の椎体Ｖ１の矢状面ＳＰの左に経皮的にかみ合う。第三の装置Ｄ３０は、長軸Ｌ２が、冠状面ＣＰに対して鋭角で延び、軸２２が第一の椎体Ｖ１を通って尾部方向に延びるように、第一の椎体Ｖ１の関節突起と第一の椎体Ｖ１の横突起の間の、第一の椎体Ｖ１の一部分にかみ合う。軸２２および／または先端２３は、体Ｂの尾端部に向かって、軸１２より近く配置され、軸２２は、軸１２、軸１８から間隔が離れている。
【００６８】
図２Ｊおよび図２Ｋに示された一つの実施形態において、第一の装置Ｄ１０は、正中椎体間固定術（ＭＩＤＬＩＦ）を行うのに使用され、かつ、第一の椎体Ｖ１の矢状面ＳＰの左に経皮的にかみ合うように、後方アプローチを用いて、および／または、Ｍｅｄｔｒｏｎｉｃ’ｓ  ＭＡＳＴ  ＭＩＤＬＦ（登録商標）技術に記載されたように、より小さい近正中切開を用いた「小切開」ハイブリッド技術により、第一の外科的経路を通って配置される。第一の装置Ｄ１０は、長軸Ｌが、冠状面ＣＰに対して角度βで延びる（図２Ｋ）ように、第一の椎体Ｖ１の関節突起と第一の椎体Ｖ１の横突起の間の、第一の椎体Ｖ１の一部分にかみ合う。いくつかの実施形態において、角度β（図２Ｋ）は、鈍角である。いくつかの実施形態において、角度β（図２Ｋ）は、約９１〜１２０°の角度である。
【００６９】
図２Ｌおよび図２Ｍに示された一つの実施形態において、第一の装置Ｄ１０は、正中椎体間固定術（ＭＩＤＬＩＦ）を行うのに使用され、かつ後方アプローチを用いて、第一の外科的経路を通って配置され、第一の椎体Ｖ１の矢状面ＳＰの左に経皮的にかみ合う。第一の装置Ｄ１０は、長軸Ｌが、冠状面ＣＰに対して角度βで延びる（図２Ｍ）ように、第一の椎体Ｖ１の関節突起と第一の椎体Ｖ１の横突起の間の、第一の椎体Ｖ１の一部分にかみ合う。いくつかの実施形態において、角度β（図２Ｍ）は、鋭角である。いくつかの実施形態において、角度β（図２Ｍ）は、約１〜７５°の角度である。
【００７０】
図２Ａ〜図２Ｍに示されたいかなる実施形態において、第一の装置Ｄ１０、第二の装置Ｄ２０、および第三の装置Ｄ３０の少なくとも一つは、例えば、統合型神経モニタリングおよび／またはナビゲーション機能を有する機器のような機器を用いて、体Ｂ内に挿入され得る。いくつかの実施形態において、統合型神経モニタリングおよび／またはナビゲーション機能を有する機器は、第一の装置Ｄ１０、第二の装置Ｄ２０、および第三の装置Ｄ３０の少なくとも一つの軌道を確立し、および／または監視するために使用される。すなわち、統合型神経モニタリングおよび／またはナビゲーション機能を有する機器は、構造がリアルタイムに変化したとしても、第一の装置Ｄ１０、第二の装置Ｄ２０、および第三の装置Ｄ３０の少なくとも一つのために、患者の構造に関して安全な軌道を決定し、および／若しくは選択するのに使用され得、ならびに／または、第一の装置Ｄ１０、第二の装置Ｄ２０、および第三の装置Ｄ３０の少なくとも一つが、選択された軌道を用いて、挿入され、および／若しくは移植されるのを確実にし得る。いくつかの実施形態において、統合型神経モニタリングおよび／またはナビゲーション機能を有する機器は、例えば、ＳｔｅａｌｔｈＳｔａｔｉｏｎ（登録商標）Ｓ７（登録商標）、ＳｔｅａｌｔｈＳｔａｔｉｏｎ  ｉ７（商標）、ＳｔｅａｌｔｈＳｔａｔｉｏｎ  ｉＮａｖ（登録商標）、ＡｘｉＥＭ  Ｅｌｅｃｔｒｏｍａｇｎｅｔｉｃ  Ｎａｖｉｇａｔｉｏｎ  Ｓｙｓｔｅｍ、Ｆｕｓｉｏｎ（商標）ＥＮＴおよび／またはＳｔｅａｌｔｈＶｉｚ（商標）Ｐｌａｎｎｉｎｇ  Ｓｔａｔｉｏｎのような、Ｍｅｄｔｒｏｎｉｃにより販売されているナビゲーションシステムの一部である。いくつかの実施形態において、統合型神経モニタリングおよび／またはナビゲーション機能を有する機器は、医療従事者がより安全で、より正確な処置を行い、処置の侵襲性および危険性を減らし、および／または患者の予後および回復を向上させるのを助ける。
【００７１】
図２Ａ〜図２Ｍに示されたいかなる実施形態において、画像化は、上記のアプローチを用いて、第一の装置Ｄ１０、第二の装置Ｄ２０、および第三の装置Ｄ３０の少なくとも一つが、切開を通る軌道を確立し、および／または監視するために使用され得る。一つの実施形態において、例えば、Ｍｅｄｔｒｏｎｉｃから入手可能なＯ−アーム外科手術イメージングシステム（Ｏ−ａｒｍ  Ｓｕｒｇｉｃａｌ  Ｉｍａｇｉｎｇ  Ｓｙｓｔｅｍ）のような画像化システムが、術中の画像化を用いて、第一の装置Ｄ１０、第二の装置Ｄ２０、および第三の装置Ｄ３０の少なくとも一つの軌道を確立し、および／または監視するために使用される。Ｏ−アーム外科手術イメージングシステムは、他のものの中で、リアルタイムの、多平面３Ｄ画像（および２Ｄ画像）への素早いアクセスを提供し、例えば脊椎処置のような、処置の独特な作業工程への完全なサポートを提供し、（例えば、Ｘ線への暴露を減らすことにより）手術スタッフへの放射線照射量を最小化し、かつハードウェア設置療法を確認するために可視化を提供し、潜在的にやり直し手術を減らす。
【００７２】
図２Ａ〜図２Ｍに示されたいかなる実施形態において、第一の装置Ｄ１０、第二の装置Ｄ２０、および第三の装置Ｄ３０の少なくとも一つは、カニューレ状であり得る。いくつかの実施形態において、ガイドワイヤーが、第一の装置Ｄ１０、第二の装置Ｄ２０、および第三の装置Ｄ３０の少なくとも一つを、上述のように、椎骨Ｖに対する所定の位置に導くために挿入される。すなわち、少なくとも一つのガイドワイヤーが、第一の椎体Ｖ１および／または第二の椎体Ｖ２内に挿入される。ガイドワイヤーの一つが、第一の装置Ｄ１０、第二の装置Ｄ２０、および第三の装置Ｄ３０のうちの一つのカニューレに挿入される。第一の装置Ｄ１０、第二の装置Ｄ２０、および第三の装置Ｄ３０は、その後ガイドワイヤーに沿ってスライドし、上述のように、第一の装置Ｄ１０、第二の装置Ｄ２０、および第三の装置Ｄ３０を、椎骨Ｖにかみ合わせる。
【００７３】
図２Ａ〜図２Ｍに示されたいかなる実施形態において、第一の装置Ｄ１０、第二の装置Ｄ２０、および第三の装置Ｄ３０の少なくとも一つは、窓のないカニューレ状のねじ、および／または、カニューレに伝達している少なくとも一つの側方窓を有するカニューレ状のねじである。いくつかの実施形態において、材料が、第一の装置Ｄ１０、第二の装置Ｄ２０、および第三の装置Ｄ３０の少なくとも一つのカニューレおよび／または窓を通って導入され、材料を第一の椎体Ｖ１および／または第二の椎体Ｖ２に送達する。いくつかの実施形態において、材料は、骨用セメント、例えば、骨形成タンパク質（ＢＭＰ）のような骨成長材料、鎮痛剤および／または抗炎症剤である。いくつかの実施形態において、機器が、第一の装置Ｄ１０、第二の装置Ｄ２０、および第三の装置Ｄ３０の少なくとも一つの、カニューレおよび／または窓を通って導入され、ナビゲーション性能を提供する、および／または、骨の成長を刺激する。いくつかの実施形態において、機器は、プローブおよび／または電極である。
【００７４】
図３Ａ〜図３Ｃに示された一つの実施形態において、例えば、骨ねじのような第一の装置Ｄ１００が、後方アプローチを用いて、第一の外科的経路を通って配置され、椎骨Ｖの第一の椎体Ｖ１の矢状面ＳＰの左に経皮的にかみ合う。いくつかの実施形態において、第一の装置Ｄ１００は、第一の椎体Ｖ１の関節突起と第一の椎体Ｖ１の横突起の間の、第一の椎体Ｖ１の一部分にかみ合う。いくつかの実施形態において、案内孔が、第一の装置Ｄ１００のために第一の椎体Ｖ１に形成され、第一の装置Ｄ１００が、案内孔内に挿入され、第一の装置Ｄ１００の軸１２０の外表面のねじ山が、案内孔を定義する第一の椎体Ｖ１の一部にかみ合い、第一の装置Ｄ１００は、軸１２０により定義される長軸Ｌ１０の周りに、第一の装置Ｄ１００が第一の椎体Ｖ１にねじ式にかみ合うまで回転する。いくつかの実施形態において、第一の装置Ｄ１００は、案内孔および／または第一の椎体Ｖ１に、例えば、軸１２０の部分１４０にかみ合う道具にかみ合うドライバーのような機器を用いて、ねじ込まれる。いくつかの実施形態において、第一の装置Ｄ１００は、第一の椎体Ｖ１に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。いくつかの実施形態において、第一の装置Ｄ１００は、長軸Ｌ１０が、矢状面ＳＰに対して角度β１で延びるように、第一の椎体Ｖ１内に挿入される。いくつかの実施形態において、角度β１は、鋭角である。いくつかの実施形態において、角度β１は、約１〜４５°の角度である。いくつかの実施形態において、第一の装置Ｄ１００は、長軸Ｌ１０が、冠状面ＣＰに対して角度Ｘ１で延びるように、第一の椎体Ｖ１内に挿入される。いくつかの実施形態において、角度Ｘ１は、鋭角である。いくつかの実施形態において、角度Ｘ１は、約１〜４５°の角度である。いくつかの実施形態において、第一の装置Ｄ１００は、軸１２０の先端１２１が、第一の椎体Ｖ１および第二の椎体Ｖ２の間の空間に配置されるように、第一の椎体Ｖ１内に挿入される。いくつかの実施形態において、軸１２０は、例えば、滑らかな、環状の、および／または、例えば、四角形、多角形または丸のような種々の断面形状を有するような形状に、さまざまに形成され得る。
【００７５】
いくつかの実施形態において、第一の装置Ｄ１００が、後方アプローチを用いて、第一の外科的経路を通って配置され、第一の椎体Ｖ１の矢状面ＳＰの右に経皮的にかみ合い、第一の装置Ｄ１００は、長軸Ｌ１０が、矢状面ＳＰに対して角度γ１で延びるように、第一の椎体Ｖ１内に挿入される。いくつかの実施形態において、角度γ１は、鋭角である。いくつかの実施形態において、角度γ１は、約１〜４５°の角度である。
【００７６】
例えば、椎体間移植片のような第二の装置Ｄ２００が、側方アプローチを用いて、第二の外科的経路を通って配置され、先端１２１が、第二の装置Ｄ２００の後方になるように、経皮的に椎骨Ｖの第一の椎体Ｖ１および第二の椎体Ｖ２の間の空間に配置される。第二の装置Ｄ２００は、第二の装置Ｄ２００が第一の装置Ｄ１００から間隔が離れているように、第一の椎体Ｖ１および第二の椎体Ｖ２の間の空間に配置される。いくつかの実施形態において、第二の装置Ｄ２００は、第一の装置Ｄ１００が第一の椎体Ｖ１に挿入される前に、第一の椎体Ｖ１および第二の椎体Ｖ２の間の空間に挿入される。いくつかの実施形態において、第一の椎体Ｖ１と第二の椎体Ｖ２は互いに引き離され、第二の装置Ｄ２００の挿入のために、第一の椎体Ｖ１と第二の椎体Ｖ２の間に空間を大きくする。いくつかの実施形態において、第二の装置Ｄ２００は、椎体間移植片、試験移植片、ＳＣＩＳＳＯＲ  ＪＡＣＫ（登録商標）移植片、膨張可能な移植片、または、一つまたは複数のフェルンストルムボール（Ｆｅｒｎｓｔｒｏｍ  ｂａｌｌ）である。
【００７７】
いくつかの実施形態において、第二の装置Ｄ２００は、患者を、第一の装置Ｄ１００が、第一の外科的経路を通って第一の椎体Ｖ１にかみ合うように挿入された姿勢から動かすことなしに、第二の外科的経路を通って、第一の椎体Ｖ１と第二の椎体Ｖ２の間の空間に配置されるように挿入される。すなわち、患者は、第一の装置Ｄ１００を体Ｂに挿入し、第一の椎体Ｖ１にかみ合った後は、第一の椎体Ｖ１と第二の椎体Ｖ２の間の空間に配置されるように、第二の装置Ｄ２００を体Ｂに挿入するために、動かされず、向きも変えられない。同様に、第二の装置Ｄ２００が、第一の装置Ｄ１００の前に挿入される実施形態において、患者は、第一の椎体Ｖ１と第二の椎体Ｖ２の間の空間に配置されるように、第二の装置Ｄ２００を体Ｂに挿入した後は、第一の椎体Ｖ１にかみ合うように、第一の装置Ｄ１００を体Ｂに挿入するために、動かされず、向きも変えられない。
【００７８】
いくつかの実施形態において、患者の姿勢は、第一の椎体Ｖ１にかみ合うための第一の外科的経路を通った第一の装置Ｄ１００の挿入、および、第一の椎体Ｖ１と第二の椎体Ｖ２の間の空間に配置するための、第二の外科的経路を通った、第二の装置Ｄ２００の挿入の間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【００７９】
図３Ｄ〜図３Ｆに示された一つの実施形態において、第一の装置Ｄ１００が、後方アプローチを用いて、第一の外科的経路を通って配置され、椎骨Ｖの第一の椎体Ｖ１の矢状面ＳＰの左に経皮的にかみ合う。いくつかの実施形態において、第一の装置Ｄ１００は、第一の椎体Ｖ１の関節突起と第一の椎体Ｖ１の横突起の間の、第一の椎体Ｖ１の一部分にかみ合い、第一の装置Ｄ１００のヘッド１２２は、第一の椎体Ｖ１の一面の後方になる。いくつかの実施形態において、第一の装置Ｄ１００は、長軸Ｌ１０が、矢状面ＳＰに対して角度β２で延びるように、第一の椎体Ｖ１内に挿入される。いくつかの実施形態において、角度β２は、鋭角である。いくつかの実施形態において、角度β２は、約１〜４５°の角度である。いくつかの実施形態において、第一の装置Ｄ１００は、長軸Ｌ１０が、冠状面ＣＰに対して角度Ｘ２で延びるように、第一の椎体Ｖ１内に挿入される。
【００８０】
いくつかの実施形態において、角度Ｘ２は、鋭角である。いくつかの実施形態において、角度Ｘ２は、約１〜４５°の角度である。いくつかの実施形態において、第一の装置Ｄ１００が、後方アプローチを用いて、第一の外科的経路を通って配置され、第一の椎体Ｖ１の矢状面ＳＰの右に経皮的にかみ合い、第一の装置Ｄ１００は、長軸Ｌ１０が、矢状面ＳＰに対して角度γ２で延びるように、第一の椎体Ｖ１内に挿入される。いくつかの実施形態において、角度γ２は、鋭角である。いくつかの実施形態において、角度γ２は、約１〜４５°の角度である。
【００８１】
第二の装置Ｄ２００が、側方アプローチを用いて、第二の外科的経路を通って配置され、椎骨Ｖの第一の椎体Ｖ１および第二の椎体Ｖ２の間の空間に、第二の装置Ｄ２００の骨嵌合表面２０１が、第一の椎体Ｖ１とかみ合い、骨嵌合表面２０１の反対側の、第二の装置Ｄ２００の骨嵌合表面２０２が、第二の椎体Ｖ２とかみ合うように、経皮的に配置される。第二の装置は、先端１２１が、骨嵌合表面２０１および骨嵌合表面２０２、およびその間を通って延びる、第二の装置Ｄ２００の開口２０３を通って延びるように配置される。いくつかの実施形態において、第二の装置Ｄ２００は、第一の装置Ｄ１００が第一の椎体Ｖ１に挿入される前に、第一の椎体Ｖ１および第二の椎体Ｖ２の間の空間に挿入される。いくつかの実施形態において、第一の椎体Ｖ１と第二の椎体Ｖ２は互いに対して引き離され、第二の装置Ｄ２００の挿入のために、第一の椎体Ｖ１と第二の椎体Ｖ２の間に空間を大きくする。
【００８２】
いくつかの実施形態において、第二の装置Ｄ２００は、患者を、第一の装置Ｄ１００が、第一の外科的経路を通って第一の椎体Ｖ１にかみ合うように挿入された姿勢から動かすことなしに、第二の外科的経路を通って、第一の椎体Ｖ１と第二の椎体Ｖ２の間の空間に配置するように挿入される。すなわち、患者は、第一の装置Ｄ１００を体Ｂに挿入し、第一の椎体Ｖ１にかみ合った後は、第一の椎体Ｖ１と第二の椎体Ｖ２の間の空間に配置するように、第二の装置Ｄ２００を体Ｂに挿入するために、動かされず、向きも変えられない。同様に、第二の装置Ｄ２００が、第一の装置Ｄ１００の前に挿入される実施形態において、患者は、第一の椎体Ｖ１と第二の椎体Ｖ２の間の空間に配置するように、第二の装置Ｄ２００を体Ｂに挿入した後は、第一の椎体Ｖ１にかみ合うように、第一の装置Ｄ１００を体Ｂに挿入するために、動かされず、向きも変えられない。いくつかの実施形態において、患者の姿勢は、第一の椎体Ｖ１にかみ合うための第一の外科的経路を通った第一の装置Ｄ１００の挿入、および、第一の椎体Ｖ１と第二の椎体Ｖ２の間の空間に配置されるための、第二の外科的経路を通った、第二の装置Ｄ２００の挿入の間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【００８３】
図３Ｇ〜図３Ｉに示された一つの実施形態において、軸１２０は、カニューレ状であり、その遠位端に開口を含む。第一の装置Ｄ１００が、後方アプローチを用いて、第一の外科的経路を通って配置され、椎骨Ｖの第一の椎体Ｖ１の矢状面ＳＰの左に経皮的にかみ合う。いくつかの実施形態において、第一の装置Ｄ１００は、第一の椎体Ｖ１の関節突起と第一の椎体Ｖ１の横突起の間の、第一の椎体Ｖ１の一部分にかみ合い、ヘッド１２２は、第一の椎体Ｖ１の一面の後方になる。いくつかの実施形態において、第一の装置Ｄ１００は、長軸Ｌ１０が、矢状面ＳＰに対して角度β３で延びるように、第一の椎体Ｖ１内に挿入される。いくつかの実施形態において、角度β３は、鋭角である。いくつかの実施形態において、角度β３は、約１〜４５°の角度である。いくつかの実施形態において、第一の装置Ｄ１００は、長軸Ｌ１０が、冠状面ＣＰに対して角度Ｘ３で延びるように、第一の椎体Ｖ１内に挿入される。いくつかの実施形態において、角度Ｘ３は、鋭角である。
【００８４】
いくつかの実施形態において、角度Ｘ３は、約１〜４５°の角度である。いくつかの実施形態において、第一の装置Ｄ１００が、後方アプローチを用いて、第一の外科的経路を通って配置され、第一の椎体Ｖ１の矢状面ＳＰの右に経皮的にかみ合い、第一の装置Ｄ１００は、長軸Ｌ１０が、矢状面ＳＰに対して角度γ３で延びるように、第一の椎体Ｖ１内に挿入される。いくつかの実施形態において、角度γ３は、鋭角である。いくつかの実施形態において、角度γ３は、約１〜４５°の角度である。
【００８５】
第二の装置Ｄ２００が、側方アプローチを用いて、第二の外科的経路を通って配置され、椎骨Ｖの第一の椎体Ｖ１および第二の椎体Ｖ２の間の空間に、骨嵌合表面２０１が、第一の椎体Ｖ１とかみ合い、骨嵌合表面２０２が、第二の椎体Ｖ２とかみ合うように、経皮的に配置される。第二の装置は、先端１２１が、開口２０３を通って延びるように配置される。いくつかの実施形態において、第二の装置Ｄ２００は、第一の装置Ｄ１００が第一の椎体Ｖ１に挿入される前に、第一の椎体Ｖ１および第二の椎体Ｖ２の間の空間に挿入される。いくつかの実施形態において、第一の椎体Ｖ１と第二の椎体Ｖ２は互いに対して引き離され、第二の装置Ｄ２００の挿入のために、第一の椎体Ｖ１と第二の椎体Ｖ２の間に空間を大きくする。
【００８６】
いくつかの実施形態において、第二の装置Ｄ２００は、患者を、第一の装置Ｄ１００が、第一の外科的経路を通って第一の椎体Ｖ１にかみ合うように挿入された姿勢から動かすことなしに、第二の外科的経路を通って、第一の椎体Ｖ１と第二の椎体Ｖ２の間の空間に配置するように挿入される。すなわち、患者は、第一の装置Ｄ１００を体Ｂに挿入し、第一の椎体Ｖ１にかみ合った後は、第一の椎体Ｖ１と第二の椎体Ｖ２の間の空間に配置するように、第二の装置Ｄ２００を体Ｂ内に挿入するために、動かされず、向きも変えられない。同様に、第二の装置Ｄ２００が、第一の装置Ｄ１００の前に挿入される実施形態において、患者は、第二の装置Ｄ２００を第一の椎体Ｖ１と第二の椎体Ｖ２の間の空間に配置するように、体Ｂに挿入した後は、第一の椎体Ｖ１にかみ合うように、第一の装置Ｄ１００を体Ｂ内に挿入するために、動かされず、向きも変えられない。いくつかの実施形態において、患者の姿勢は、第一の椎体Ｖ１にかみ合うための第一の外科的経路を通った第一の装置Ｄ１００の挿入、および、第一の椎体Ｖ１と第二の椎体Ｖ２の間の空間に配置されるための、第二の外科的経路を通った第二の装置Ｄ２００の挿入の間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【００８７】
いくつかの実施形態において、ガイドワイヤーが、第一の装置Ｄ１００を所定の位置に導くために挿入される。すなわち、ガイドワイヤーが、第一の椎体Ｖ１内に挿入される。ガイドワイヤーが、第一の装置Ｄ１００のカニューレに挿入される。第一の装置Ｄ１００は、その後ガイドワイヤーに沿ってスライドし、上述のように、第一の装置Ｄ１００を第一の椎体Ｖ１にかみ合わせる。
【００８８】
いくつかの実施形態において、材料が、第一の装置Ｄ１００のカニューレを通って導入され、材料を開口２０３および／または第一の椎体Ｖ１と第二の椎体Ｖ２の間の空間に送達する。いくつかの実施形態において、材料は、骨用セメント、例えば、骨形成タンパク質（ＢＭＰ）のような骨成長材料、鎮痛剤および／または抗炎症剤である。いくつかの実施形態において、機器が、第一の装置Ｄ１００のカニューレを通って導入され、ナビゲーション性能を提供する、および／または、骨の成長を刺激する。いくつかの実施形態において、機器は、プローブおよび／または電極である。
【００８９】
図３Ｊ〜図３Ｌに示された一つの実施形態において、第一の装置Ｄ１００が、後方アプローチを用いて、第一の外科的経路を通って配置され、第一の椎体Ｖ１の矢状面ＳＰの左に経皮的にかみ合う。いくつかの実施形態において、第一の装置Ｄ１００は、第一の椎体Ｖ１の関節突起と第一の椎体Ｖ１の横突起の間の、第一の椎体Ｖ１の一部分にかみ合う。いくつかの実施形態において、第一の装置Ｄ１００は、先端１２１が、第一の椎体Ｖ１および第二の椎体Ｖ２の間の空間に配置されるように、第一の椎体Ｖ１内に挿入される。いくつかの実施形態において、第一の装置Ｄ１００は、第一の椎体Ｖ１内に挿入され、先端１２１が、第一の椎体Ｖ１および第二の椎体Ｖ２の間の空間内に延びることなく、第一の椎体Ｖ１に配置される。いくつかの実施形態において、第一の装置Ｄ１００は、長軸Ｌ１０が、矢状面ＳＰに対して角度β４で延びるように、第一の椎体Ｖ１内に挿入される。いくつかの実施形態において、角度β４は、鋭角である。いくつかの実施形態において、角度β４は、約１〜４５°の角度である。いくつかの実施形態において、第一の装置Ｄ１００は、長軸Ｌ１０が、冠状面ＣＰに対して角度Ｘ４で延びるように、第一の椎体Ｖ１内に挿入される。いくつかの実施形態において、角度Ｘ４は、鋭角である。いくつかの実施形態において、角度Ｘ４は、約１〜４５°の角度である。
【００９０】
いくつかの実施形態において、第一の装置Ｄ１００が、後方アプローチを用いて、第一の外科的経路を通って配置され、第一の椎体Ｖ１の矢状面ＳＰの右に経皮的にかみ合い、第一の装置Ｄ１００は、長軸Ｌ１０が、矢状面ＳＰに対して角度γ４で延びるように、第一の椎体Ｖ１内に挿入される。いくつかの実施形態において、角度γ４は、鋭角である。いくつかの実施形態において、角度γ４は、約１〜４５°の角度である。
【００９１】
第二の装置Ｄ２００が、側方アプローチを用いて、第二の外科的経路を通って配置され、椎骨Ｖの第一の椎体Ｖ１および第二の椎体Ｖ２の間の空間に、先端１２１が第二の装置Ｄ２００の前方になるように、経皮的に配置される。第二の装置Ｄ２００は、第一の椎体Ｖ１および第二の椎体Ｖ２の間の空間に、第二の装置Ｄ２００が、第一の装置Ｄ１００から離れているように配置される。いくつかの実施形態において、第二の装置Ｄ２００は、第一の装置Ｄ１００が第一の椎体Ｖ１に挿入される前に、第一の椎体Ｖ１および第二の椎体Ｖ２の間の空間に挿入される。いくつかの実施形態において、第一の椎体Ｖ１と第二の椎体Ｖ２は互いに対して引き離され、第二の装置Ｄ２００の挿入のために、第一の椎体Ｖ１と第二の椎体Ｖ２の間に空間を大きくする。
【００９２】
いくつかの実施形態において、第二の装置Ｄ２００は、患者を、第一の装置Ｄ１００が、第一の外科的経路を通って第一の椎体Ｖ１にかみ合うように挿入された姿勢から動かすことなしに、第二の外科的経路を通って、第一の椎体Ｖ１と第二の椎体Ｖ２の間の空間に配置されるように挿入される。すなわち、患者は、第一の装置Ｄ１００を体Ｂに挿入し、第一の椎体Ｖ１にかみ合った後は、第二の装置Ｄ２００を、第一の椎体Ｖ１と第二の椎体Ｖ２の間の空間に配置するように、体Ｂ内に挿入するために、動かされず、向きも変えられない。同様に、第二の装置Ｄ２００が、第一の装置Ｄ１００の前に挿入される実施形態において、患者は、第二の装置Ｄ２００を、第一の椎体Ｖ１と第二の椎体Ｖ２の間の空間に配置するように、体Ｂ内に挿入した後は、第一の装置Ｄ１００を、第一の椎体Ｖ１にかみ合うように、体Ｂに挿入するために、動かされず、向きも変えられない。いくつかの実施形態において、患者の姿勢は、第一の椎体Ｖ１にかみ合うための第一の外科的経路を通った第一の装置Ｄ１００の挿入、および、第一の椎体Ｖ１と第二の椎体Ｖ２の間の空間に配置されるための、第二の外科的経路を通った、第二の装置Ｄ２００の挿入の間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、ボディＢの冠状面ＣＰが、例えば図１Ｌで示されるように、手術室の床Ｆに対して角度α、例えば、鋭角で配置されるような姿勢に維持される。
【００９３】
図３Ｍ〜図３Ｓに示された一つの実施形態において、第一の装置Ｄ１００が、後方アプローチを用いて、第一の外科的経路を通って配置され、椎骨Ｖの第一の椎体Ｖ１の矢状面ＳＰの左に経皮的にかみ合う。いくつかの実施形態において、第一の装置Ｄ１００は、第一の椎体Ｖ１の関節突起と第一の椎体Ｖ１の横突起の間の、第一の椎体Ｖ１の一部分にかみ合う。いくつかの実施形態において、第一の装置Ｄ１００は、先端１２１が、第一の椎体Ｖ１および第二の椎体Ｖ２の間の空間に配置されるように、第一の椎体Ｖ１内に挿入される。いくつかの実施形態において、第一の装置Ｄ１００は、先端１２１が、尾部方向に向くように、第一の椎体Ｖ１内に挿入される。いくつかの実施形態において、第一の装置Ｄ１００は、長軸Ｌ１０が、矢状面ＳＰに対して角度β５で延びるように、第一の椎体Ｖ１内に挿入される。いくつかの実施形態において、角度β５は、鋭角である。いくつかの実施形態において、角度β５は、約１〜４５°の角度である。いくつかの実施形態において、第一の装置Ｄ１００は、長軸Ｌ１０が、冠状面ＣＰに対して角度Ｘ５で延びるように、第一の椎体Ｖ１内に挿入される。いくつかの実施形態において、角度Ｘ５は、鋭角である。いくつかの実施形態において、角度Ｘ５は、約１〜４５°の角度である。
【００９４】
第二の装置Ｄ２００が、側方アプローチを用いて、第二の外科的経路を通って配置され、表面２０１が、第一の椎体Ｖ１とかみ合い、表面２０２が、第二の椎体Ｖ２とかみ合い、先端１２１が、第二の装置Ｄ２００の後方になるように、椎骨Ｖの第一の椎体Ｖ１および第二の椎体Ｖ２の間の空間に経皮的に配置される。いくつかの実施形態において、第二の装置Ｄ２００は、先端１２１が第二の装置Ｄ２００とかみ合うように、第一の椎体Ｖ１および第二の椎体Ｖ２の間の空間に配置される。いくつかの実施形態において、第二の装置Ｄ２００は、第二の装置Ｄ２００が第一の装置Ｄ１００から間隔が離れているように、第一の椎体Ｖ１および第二の椎体Ｖ２の間の空間に配置される。いくつかの実施形態において、第二の装置Ｄ２００は、第一の装置Ｄ１００が第一の椎体Ｖ１に挿入される前に、第一の椎体Ｖ１および第二の椎体Ｖ２の間の空間に挿入される。いくつかの実施形態において、第一の椎体Ｖ１と第二の椎体Ｖ２は互いに対して引き離され、第二の装置Ｄ２００の挿入のために、第一の椎体Ｖ１と第二の椎体Ｖ２の間に空間を大きくする。
【００９５】
いくつかの実施形態において、第二の装置Ｄ２００は、患者を、第一の装置Ｄ１００が、第一の外科的経路を通って第一の椎体Ｖ１にかみ合うように挿入された姿勢から動かすことなしに、第二の外科的経路を通って、第一の椎体Ｖ１と第二の椎体Ｖ２の間の空間に配置するように挿入される。すなわち、患者は、第一の装置Ｄ１００を体Ｂに挿入し、第一の椎体Ｖ１にかみ合った後は、第二の装置Ｄ２００を、第一の椎体Ｖ１と第二の椎体Ｖ２の間の空間に配置するように、体Ｂ内に挿入するために、動かされず、向きも変えられない。同様に、第二の装置Ｄ２００が、第一の装置Ｄ１００の前に挿入される実施形態において、患者は、第二の装置Ｄ２００を、第一の椎体Ｖ１と第二の椎体Ｖ２の間の空間に配置するように、体Ｂ内に挿入した後は、第一の椎体Ｖ１にかみ合うように、第一の装置Ｄ１００を体Ｂ内に挿入するために、動かされず、向きも変えられない。いくつかの実施形態において、患者の姿勢は、第一の椎体Ｖ１にかみ合うための第一の外科的経路を通った第一の装置Ｄ１００の挿入、および、第二の外科的経路を通った、第一の椎体Ｖ１と第二の椎体Ｖ２の間の空間に配置するための第二の装置Ｄ２００の挿入の間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【００９６】
例えば、骨ねじのような第一の装置Ｄ１００に類似の第三の装置Ｄ１０１が、後方アプローチを用いて、第三の装置Ｄ１０１の軸１２０Ａが第一の椎体Ｖ１を通って延びるように、第三の外科的経路を通って配置される。いくつかの実施形態において、第三の装置Ｄ１０１は、第三の装置Ｄ１０１の先端１２１Ａが、尾部方向に延び、表面２０１にかみ合うように、第一の椎体Ｖ１を通って延びる。いくつかの実施形態において、第三の装置Ｄ１０１は、先端１２１Ａが先端１２１の前方になるように、第一の椎体Ｖ１を通って延びる。いくつかの実施形態において、第三の装置Ｄ１０１は、先端１２１Ａが尾部方向に延び、開口２０３に配置されるように、第一の椎体Ｖ１を通って延びる。いくつかの実施形態において、案内孔が、第三の装置Ｄ１０１のために第一の椎体Ｖ１に形成され、第三の装置Ｄ１０１が、案内孔内に挿入され、第三の装置Ｄ１０１の軸１２０Ａの外表面のねじ山が、案内孔を定義する第一の椎体Ｖ１の一部にかみ合い、第三の装置Ｄ１０１は、軸１２０Ａにより定義される長軸Ｌ１０Ａの周りに、第三の装置Ｄ１０１が第一の椎体Ｖ１にねじ式にかみ合うまで回転する。いくつかの実施形態において、第三の装置Ｄ１０１は、案内孔および／または第一の椎体Ｖ１に、例えば、軸１２０Ａの部分１４０Ａにかみ合う道具にかみ合うドライバーのような機器を用いて、ねじ込まれる。いくつかの実施形態において、第三の装置Ｄ１０１は、第一の椎体Ｖ１に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。いくつかの実施形態において、第三の装置Ｄ１０１は、長軸Ｌ１０Ａが、矢状面ＳＰに対して角度β６で延びるように、第一の椎体Ｖ１内に挿入される。いくつかの実施形態において、角度β６は、鋭角である。いくつかの実施形態において、角度β６は、約１〜４５°の角度である。いくつかの実施形態において、第三の装置Ｄ１０１は、長軸Ｌ１０Ａが、冠状面ＣＰに対して角度Ｘ６で延びるように、第一の椎体Ｖ１内に挿入される。いくつかの実施形態において、角度Ｘ６は、鋭角である。いくつかの実施形態において、角度Ｘ６は、約１〜４５°の角度である。
【００９７】
いくつかの実施形態において、第三の装置Ｄ１０１は、第一の装置Ｄ１００が第一の椎体Ｖ１に挿入される前に、第一の椎体Ｖ１に挿入される。いくつかの実施形態において、第三の装置Ｄ１０１は、第一の装置Ｄ１００が第一の椎体Ｖ１に挿入された後に、第一の椎体Ｖ１に挿入される。いくつかの実施形態において、第３の装置Ｄ１０１は、患者を、第二の装置Ｄ２００が、第一の椎体Ｖ１と第二の椎体Ｖ２の間の空間に挿入され、および／または第一の装置Ｄ１００が第一の椎体Ｖ１に挿入された姿勢から動かすことなしに、第三の装置Ｄ１０１は、第一の椎体Ｖ１に挿入される。すなわち、患者は、第二の装置Ｄ２００が、体Ｂ内で、第一の椎体Ｖ１と第二の椎体Ｖ２の間の空間に挿入され、および／または、第一の装置Ｄ１００が、先端１２１が第二の装置Ｄ２００にかみ合うように第一の椎体Ｖ１に挿入された後は、先端１２１Ａが装置Ｄ２００にかみ合い、および／または、開口２０３内に配置されるように、第三の装置Ｄ１０１を第一の椎体Ｖ１に挿入するために、動かされず、向きも変えられない。いくつかの実施形態において、患者の姿勢は、第三の装置Ｄ１０１の第一の椎体Ｖ１への挿入、ならびに、第一の椎体Ｖ１と第二の椎体Ｖ２の間の空間への第二の装置Ｄ２００の挿入および／または第一の装置Ｄ１００の第一の椎体Ｖ１への挿入の間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【００９８】
例えば、骨ねじのような第一の装置Ｄ１００および第三の装置Ｄ１０１に類似の第四の装置Ｄ１０２が、後方アプローチを用いて、第四の装置Ｄ１０２の軸１２０Ｂが第二の椎体Ｖ２を通って延びるように、第四の外科的経路を通って配置される。いくつかの実施形態において、第四の装置Ｄ１０２は、第四の装置Ｄ１０２の先端１２１Ｂが、頭蓋方向に延び、開口２０３内に配置されるように、第二の椎体Ｖ２を通って延びる。いくつかの実施形態において、第四の装置Ｄ１０２は、先端１２１Ｂが先端１２１の前方になり、先端１２１Ａの後方になるように、第二の椎体Ｖ２を通って延びる。いくつかの実施形態において、案内孔が、第四の装置Ｄ１０２のために第二の椎体Ｖ２に形成され、第四の装置Ｄ１０２が、案内孔内に挿入され、第四の装置Ｄ１０２の軸１２０Ｂの外表面のねじ山が、案内孔を定義する第二の椎体Ｖ２の一部にかみ合い、第四の装置Ｄ１０２は、軸１２０Ｂにより定義される長軸Ｌ１０Ｂの周りに、第四の装置Ｄ１０２が第二の椎体Ｖ２にねじ式にかみ合うまで回転する。いくつかの実施形態において、第四の装置Ｄ１０２は、案内孔および／または第二の椎体Ｖ２に、例えば、軸１２０Ｂの部分１４０Ｂにかみ合う道具にかみ合うドライバーのような機器を用いて、ねじ込まれる。いくつかの実施形態において、第四の装置Ｄ１０２は、第二の椎体Ｖ２に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。いくつかの実施形態において、第四の装置Ｄ１０２は、長軸Ｌ１０Ｂが、矢状面ＳＰに対して角度β７で延びるように、第二の椎体Ｖ２内に挿入される。いくつかの実施形態において、角度β７は、鋭角である。いくつかの実施形態において、角度β７は、約１〜４５°の角度である。いくつかの実施形態において、第四の装置Ｄ１０２は、長軸Ｌ１０Ｂが、冠状面ＣＰに対して角度Ｘ７で延びるように、第二の椎体Ｖ２内に挿入される。いくつかの実施形態において、角度Ｘ７は、鋭角である。いくつかの実施形態において、角度Ｘ７は、約１〜４５°の角度である。
【００９９】
いくつかの実施形態において、第四の装置Ｄ１０２は、第一の装置Ｄ１００が第一の椎体Ｖ１に挿入される、および／または第三の装置Ｄ１０１が第一の椎体Ｖ１に挿入される前に、第二の椎体Ｖ２に挿入される。いくつかの実施形態において、第四の装置Ｄ１０２は、第一の装置Ｄ１００が第一の椎体Ｖ１に挿入された、および／または第三の装置Ｄ１０１が第一の椎体Ｖ１に挿入された後に、第二の椎体Ｖ２に挿入される。いくつかの実施形態において、患者を、第二の装置Ｄ２００が、第一の椎体Ｖ１と第二の椎体Ｖ２の間の空間に挿入された姿勢から動かすことなしに、第一の装置Ｄ１００は、第一の椎体Ｖ１に挿入され、第三の装置Ｄ１０１は、第一の椎体Ｖ１に挿入され、および／または第四の装置Ｄ１０２は、第二の椎体Ｖ２に挿入される。すなわち、患者は、第二の装置Ｄ２００が、体Ｂ内で、第一の椎体Ｖ１と第二の椎体Ｖ２の間の空間に挿入された後は、第四の装置Ｄ１０２を第二の椎体Ｖ２に挿入し、第一の装置Ｄ１００を第一の椎体Ｖ１に挿入し、および／または第三の装置Ｄ１０１を第一の椎体Ｖ１に挿入するために、動かされず、向きも変えられない。いくつかの実施形態において、患者の姿勢は、第一の装置Ｄ１００の第一の椎体Ｖ１への挿入、第三の装置Ｄ１０１の第一の椎体Ｖ１への挿入、第四の装置Ｄ１０２の第二の椎体Ｖ２への挿入、および／または第二の装置Ｄ２００の、第一の椎体Ｖ１と第二の椎体Ｖ２の間の空間への挿入の間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【０１００】
例えば、骨ねじのような第一の装置Ｄ１００、第三の装置Ｄ１０１、および第四の装置Ｄ１０２に類似の第五の装置Ｄ１０３が、後方アプローチを用いて、第五の装置Ｄ１０３の軸１２０Ｃが第二の椎体Ｖ２を通って延びるように、第五の外科的経路を通って配置される。いくつかの実施形態において、第五の装置Ｄ１０３は、第五の装置Ｄ１０３の先端１２１Ｃが、頭蓋方向に延び、表面２０２にかみ合うように、第二の椎体Ｖ２を通って延びる。いくつかの実施形態において、第五の装置Ｄ１０３は、先端１２１Ｃが先端１２１、１２１Ｂの前方になり、先端１２１Ａの後方になるように、第二の椎体Ｖ２を通って延びる。いくつかの実施形態において、案内孔が、第五の装置Ｄ１０３のために第二の椎体Ｖ２に形成され、第五の装置Ｄ１０３が、案内孔内に挿入され、第五の装置Ｄ１０３の軸１２０Ｃの外表面のねじ山が、案内孔を定義する第二の椎体Ｖ２の一部にかみ合い、第五の装置Ｄ１０３は、軸１２０Ｃにより定義される長軸Ｌ１０Ｃの周りに、第五の装置Ｄ１０３が第二の椎体Ｖ２にねじ式にかみ合うまで回転する。いくつかの実施形態において、第五の装置Ｄ１０３は、案内孔および／または第二の椎体Ｖ２に、例えば、軸１２０Ｃの部分１４０Ｃにかみ合う道具にかみ合うドライバーのような機器を用いて、ねじ込まれる。いくつかの実施形態において、第五の装置Ｄ１０３は、第二の椎体Ｖ２に、例えば、Ｍｅｄｔｒｏｎｉｃにより販売されているＰＯＷＥＲＥＡＳＥ（商標）システムに含まれるドリルおよび／またはタップ（雌ネジ切工具）のような外科的ドリルを用いて、ねじ込まれる。いくつかの実施形態において、第五の装置Ｄ１０３は、長軸Ｌ１０Ｃが、矢状面ＳＰに対して角度β８で延びるように、第二の椎体Ｖ２内に挿入される。いくつかの実施形態において、角度β８は、鋭角である。いくつかの実施形態において、角度β８は、約１〜４５°の角度である。いくつかの実施形態において、第五の装置Ｄ１０３は、長軸Ｌ１０Ｃが、冠状面ＣＰに対して角度Ｘ８で延びるように、第二の椎体Ｖ２内に挿入される。いくつかの実施形態において、角度Ｘ８は、鋭角である。いくつかの実施形態において、角度Ｘ８は、約１〜４５°の角度である。
【０１０１】
いくつかの実施形態において、第五の装置Ｄ１０３は、第一の装置Ｄ１００が第一の椎体Ｖ１に挿入される、第三の装置Ｄ１０１が第一の椎体Ｖ１に挿入される、および／または第四の装置Ｄ１０２が第二の椎体に挿入される前に、第二の椎体Ｖ２に挿入される。いくつかの実施形態において、第四の装置Ｄ１０２は、第一の装置Ｄ１００が第一の椎体Ｖ１に挿入された、第三の装置Ｄ１０１が第一の椎体Ｖ１に挿入された、および／または第四の装置Ｄ１０２が第二の椎体に挿入された後に、第二の椎体Ｖ２に挿入される。いくつかの実施形態において、患者を、第二の装置Ｄ２００が、第一の椎体Ｖ１と第二の椎体Ｖ２の間の空間に挿入された姿勢から動かすことなしに、第一の装置Ｄ１００は、第一の椎体Ｖ１に挿入され、第三の装置Ｄ１０１は、第一の椎体Ｖ１に挿入され、第四の装置Ｄ１０２は、第二の椎体Ｖ２に挿入され、および／または第五の装置Ｄ１０３は、第二の椎体Ｖ２に挿入される。すなわち、患者は、第二の装置Ｄ２００が、体Ｂ内で、第一の椎体Ｖ１と第二の椎体Ｖ２の間の空間に挿入された後は、第五の装置Ｄ１０３を第二の椎体Ｖ２に挿入し、第一の装置Ｄ１００を第一の椎体Ｖ１に挿入し、第三の装置Ｄ１０１を第一の椎体Ｖ１に挿入し、および／または第四の装置Ｄ１０２を第二の椎体Ｖ２に挿入するめに、動かされず、向きも変えられない。いくつかの実施形態において、患者の姿勢は、第一の装置Ｄ１００の第一の椎体Ｖ１への挿入、第三の装置Ｄ１０１の第一の椎体Ｖ１への挿入、第四の装置Ｄ１０２の第二の椎体Ｖ２への挿入、第五の装置Ｄ１０３の第二の椎体Ｖ２への挿入、および／または第二の装置Ｄ２００の、第一の椎体Ｖ１と第二の椎体Ｖ２の間の空間への挿入の間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【０１０２】
図３Ａ〜図３Ｓに示されたいかなる実施形態において、第一の装置Ｄ１００、第二の装置Ｄ２００、第三の装置Ｄ１０１、第四の装置Ｄ１０２、および第五の装置Ｄ１０３の少なくとも一つは、例えば、統合型神経モニタリングおよび／またはナビゲーション機能を有する機器のような機器を用いて、体Ｂ内に挿入され得る。いくつかの実施形態において、統合型神経モニタリングおよび／またはナビゲーション機能を有する機器は、第一の装置Ｄ１００、第二の装置Ｄ２００、第三の装置Ｄ１０１、第四の装置Ｄ１０２、および第五の装置Ｄ１０３の少なくとも一つの軌道を確立し、および／または監視するために使用される。すなわち、統合型神経モニタリングおよび／またはナビゲーション機能を有する機器は、構造がリアルタイムに変化したとしても、第一の装置Ｄ１００、第二の装置Ｄ２００、第三の装置Ｄ１０１、第四の装置Ｄ１０２、および第五の装置Ｄ１０３の少なくとも一つのための、患者の構造に関して安全な軌道を決定し、および／若しくは選択するのに使用され得、ならびに／または、第一の装置Ｄ１００、第二の装置Ｄ２００、第三の装置Ｄ１０１、第四の装置Ｄ１０２、および第五の装置Ｄ１０３の少なくとも一つが、選択された軌道を用いて、挿入され、および／若しくは移植されるのを確実にし得る。いくつかの実施形態において、統合型神経モニタリングおよび／またはナビゲーション機能を有する機器は、例えば、ＳｔｅａｌｔｈＳｔａｔｉｏｎ（登録商標）Ｓ７（登録商標）、ＳｔｅａｌｔｈＳｔａｔｉｏｎ  ｉ７（商標）、ＳｔｅａｌｔｈＳｔａｔｉｏｎ  ｉＮａｖ（登録商標）、ＡｘｉＥＭ  Ｅｌｅｃｔｒｏｍａｇｎｅｔｉｃ  Ｎａｖｉｇａｔｉｏｎ  Ｓｙｓｔｅｍ、Ｆｕｓｉｏｎ（商標）ＥＮＴおよび／またはＳｔｅａｌｔｈＶｉｚ（商標）Ｐｌａｎｎｉｎｇ  Ｓｔａｔｉｏｎのような、Ｍｅｄｔｒｏｎｉｃにより販売されているナビゲーションシステムの一部である。いくつかの実施形態において、統合型神経モニタリングおよび／またはナビゲーション機能を有する機器は、医療従事者がより安全で、より正確な処置を行い、処置の侵襲性および危険性を減らし、および／または患者の予後および回復を向上させるのを助ける。
【０１０３】
図３Ａ〜図３Ｓに示されたいかなる実施形態において、画像化は、上記のアプローチを用いて、第一の装置Ｄ１００、第二の装置Ｄ２００、第三の装置Ｄ１０１、第四の装置Ｄ１０２、および第五の装置Ｄ１０３の少なくとも一つが、切開を通る軌道を確立し、および／または監視するために使用され得る。一つの実施形態において、例えば、Ｍｅｄｔｒｏｎｉｃから入手可能なＯ−アーム外科手術イメージングシステム（Ｏ−ａｒｍ  Ｓｕｒｇｉｃａｌ  Ｉｍａｇｉｎｇ  Ｓｙｓｔｅｍ）のような画像化システムが、術中の画像化を用いて、第一の装置Ｄ１００、第二の装置Ｄ２００、第三の装置Ｄ１０１、第四の装置Ｄ１０２、および第五の装置Ｄ１０３の少なくとも一つの軌道を確立し、および／または監視するために使用される。Ｏ−アーム外科手術イメージングシステムは、他のものの中で、リアルタイムの、多平面３Ｄ画像（および２Ｄ画像）への素早いアクセスを提供し、例えば脊椎処置のような、処置の独特な作業工程への完全なサポートを提供し、（例えば、Ｘ線への暴露を減らすことにより）手術スタッフへの放射線照射量を最小化し、かつハードウェア設置療法を確認するために可視化を提供し、潜在的にやり直し手術を減らす。
【０１０４】
図３Ａ〜図３Ｓに示されたいかなる実施形態において、第一の装置Ｄ１００、第三の装置Ｄ１０１、第四の装置Ｄ１０、および第五の装置Ｄ１０３の少なくとも一つは、カニューレ状であり得る。いくつかの実施形態において、ガイドワイヤーが、第一の装置Ｄ１００、第三の装置Ｄ１０１、第四の装置Ｄ１０、および第五の装置Ｄ１０３の少なくとも一つを、上述のように、椎骨Ｖに対する所定の位置に導くために挿入される。すなわち、少なくとも一つのガイドワイヤーが、第一の椎体Ｖ１および／または第二の椎体Ｖ２内に挿入される。ガイドワイヤーの一つが、第一の装置Ｄ１００、第三の装置Ｄ１０１、第四の装置Ｄ１０、および第五の装置Ｄ１０３のうちの一つのカニューレに挿入される。第一の装置Ｄ１００、第三の装置Ｄ１０１、第四の装置Ｄ１０、および第五の装置Ｄ１０３は、その後ガイドワイヤーに沿ってスライドし、上述のように、第一の装置Ｄ１０、第二の装置Ｄ２０、および第三の装置Ｄ３０を、椎骨Ｖにかみ合わせる。
【０１０５】
図３Ａ〜図３Ｓに示されたいかなる実施形態において、第一の装置Ｄ１００、第三の装置Ｄ１０１、第四の装置Ｄ１０、および第五の装置Ｄ１０３の少なくとも一つは、窓のないカニューレ状のねじ、および／または、カニューレに伝達している少なくとも一つの側方窓を有するカニューレ状のねじである。いくつかの実施形態において、材料が、第一の装置Ｄ１００、第三の装置Ｄ１０１、第四の装置Ｄ１０、および第五の装置Ｄ１０３の少なくとも一つのカニューレおよび／または窓を通って導入され、材料を第二の装置Ｄ２００内、例えば、開口２０３内に送達するか、材料を第一の椎体Ｖ１および／または第二の椎体Ｖ２に送達する。いくつかの実施形態において、材料は、骨用セメント、例えば、骨形成タンパク質（ＢＭＰ）のような骨成長材料、鎮痛剤および／または抗炎症剤である。いくつかの実施形態において、機器が、第一の装置Ｄ１００、第三の装置Ｄ１０１、第四の装置Ｄ１０、および第五の装置Ｄ１０３の少なくとも一つのカニューレおよび／または窓を通って導入され、ナビゲーション性能を提供する、および／または、骨の成長を刺激する。いくつかの実施形態において、機器は、プローブおよび／または電極である。
【０１０６】
図４Ａ〜４Ｃに示された一つの実施形態において、例えば、圧縮スクリューのような第一の装置Ｄ１０００が、後方アプローチを用いて、第一の外科的経路を通って配置され、椎骨Ｖの第一の椎体Ｖ１および第二の椎体Ｖ２の矢状面ＳＰの左に経皮的にかみ合う。いくつかの実施形態において、第一の装置Ｄ１０００は、第一の椎体Ｖ１の関節突起と第一の椎体Ｖ１の横突起の間の、第一の椎体Ｖ１の一部分にかみ合い、第二の椎体Ｖ２の本体内に延びる。いくつかの実施形態において、第一の装置Ｄ１０００の軸１２００は、第一の装置Ｄ１０００のヘッド１２０２に接続した、非ねじ部分１２０１を含み、ねじ部分１２０３は、非ねじ部分１２０１に接続している。ねじ部分１２０３は、第一の装置Ｄ１０００の先端１２１０を定義する。いくつかの実施形態において、非ねじ部分１２０１は、第一の椎体Ｖ１を通り、第一の椎体Ｖ１と第二の椎体Ｖ２の間の空間を横切って延び、ねじ部分１２０３は、第二の椎体Ｖ２内に延びる。いくつかの実施形態において、第一の装置Ｄ１０００は、軸１２００が通って延びる座金１２０５を含み、座金１２０５は、軸１２００に沿ってスライド可能である。座金１２０５は、軸１２００が、第一の椎体Ｖ１を通って、第二の椎体Ｖ２内に挿入されるにつれて、第一の椎体Ｖ１にかみ合う。いくつかの実施形態において、第一の装置Ｄ１０００の軸Ｌ１００の周りの更なる回転は、第一の椎体Ｖ１を第二の椎体Ｖ２の方に引っ張るように、座金１２０５を第一の椎体にかみ合わさせる。すなわち、第一の椎体Ｖ１と第二の椎体Ｖ２の距離が縮まる。
【０１０７】
いくつかの実施形態において、案内孔が、第一の装置Ｄ１０００のために第一の椎体Ｖ１および／または第二の椎体Ｖ２に形成され、第一の装置Ｄ１０００が、第一の椎体Ｖ１の案内孔内に挿入され、ねじ部分１２０３の外表面のねじ山が、第一の椎体Ｖ１に案内孔を定義する第一の椎体Ｖ１の一部にかみ合う。第一の装置Ｄ１０００は、長軸Ｌ１００の周りに、非ねじ部分１２０１が、第一の椎体Ｖ１と、第一の椎体Ｖ１と第二の椎体Ｖ２の間の空間を通って延び、ねじ部分１２０３のねじ山が、第二の椎体Ｖ２に案内孔を定義する第二の椎体Ｖ２の一部分にかみ合うまで回転する。いくつかの実施形態において、第一の装置Ｄ１０００は、案内孔および／または第一の椎体Ｖ１および第二の椎体Ｖ２に、例えば、ヘッド１２０２の部分１２０４にかみ合う道具にかみ合うドライバーのような機器を用いて、ねじ込まれる。いくつかの実施形態において、第一の装置Ｄ１０００は、第一の椎体Ｖ１および第二の椎体Ｖ２に、例えば、Ｍｅｄｔｒｏｎｉｃにより販売されているＰＯＷＥＲＥＡＳＥ（商標）システムに含まれるドリルのような外科的ドリルを用いて、ねじ込まれる。
【０１０８】
いくつかの実施形態において、第一の装置Ｄ１０００は、長軸Ｌ１００が、矢状面ＳＰに対して角度β９で延びるように、第一の椎体Ｖ１および第二の椎体Ｖ２内に挿入される。いくつかの実施形態において、角度β９は、鋭角である。いくつかの実施形態において、角度β９は、約１〜４５°の角度である。いくつかの実施形態において、第一の装置Ｄ１０００は、長軸Ｌ１００が、冠状面ＣＰに対して角度Ｘ９で延びるように、第一の椎体Ｖ１および第二の椎体Ｖ２内に挿入される。いくつかの実施形態において、角度Ｘ９は、鋭角である。いくつかの実施形態において、角度Ｘ９は、約１〜４５°の角度である。いくつかの実施形態において、軸１２００は、例えば、滑らかな、環状の、および／または例えば、四角形、多角形または丸のような種々の断面形状を有するような形状に、さまざまに形成され得る。
【０１０９】
いくつかの実施形態において、第一の装置Ｄ１０００が、後方アプローチを用いて、第一の外科的経路を通って配置され、第一の椎体Ｖ１を通って矢状面ＳＰの右に経皮的に延び、第一の装置Ｄ１０００は、長軸Ｌ１００が、矢状面ＳＰに対して角度γ９で延びるように、第一の椎体Ｖ１内に挿入される。いくつかの実施形態において、角度γ９は、鋭角である。いくつかの実施形態において、角度γ９は、約１〜４５°の角度である。
【０１１０】
例えば、椎体間移植片のような第二の装置Ｄ２０００が、側方アプローチを用いて、第二の外科的経路を通って配置され、第二の装置Ｄ２０００が、第一の装置Ｄ１０００から間隔が離れているように、椎骨Ｖの第一の椎体Ｖ１と第二の椎体Ｖ２の間の空間に経皮的に配置される。いくつかの実施形態において、第二の装置Ｄ２０００は、第一の装置Ｄ１０００が第一の椎体Ｖ１に挿入される前に、第一の椎体Ｖ１および第二の椎体Ｖ２の間の空間に挿入される。いくつかの実施形態において、第一の椎体Ｖ１と第二の椎体Ｖ２は互いに対して引き離され、第二の装置Ｄ２０００の挿入のために、第一の椎体Ｖ１と第二の椎体Ｖ２の間に空間を大きくする。いくつかの実施形態において、第二の装置Ｄ２０００は、椎体間移植片、試験移植片、ＳＣＩＳＳＯＲ  ＪＡＣＫ（登録商標）移植片、膨張可能な移植片、または、一つまたは複数のフェルンストルムボール（Ｆｅｒｎｓｔｒｏｍ  ｂａｌｌ）である。
【０１１１】
いくつかの実施形態において、第二の装置Ｄ２０００は、患者を、第一の装置Ｄ１０００が、第一の外科的経路を通って、第一の椎体Ｖ１を通って延び、第二の椎体Ｖ２にかみ合うように挿入された姿勢から動かすことなしに、第二の外科的経路を通って、第一の椎体Ｖ１と第二の椎体Ｖ２の間の空間に配置するように挿入される。すなわち、患者は、第一の装置Ｄ１０００を体Ｂに挿入し、第一の椎体Ｖ１を通って延び、第二の椎体Ｖ２にかみ合った後は、第二の装置Ｄ２０００を、第一の椎体Ｖ１と第二の椎体Ｖ２の間の空間に配置するように、体Ｂに挿入するために、動かされず、向きも変えられない。同様に、第二の装置Ｄ２０００が、第一の装置Ｄ１０００の前に挿入される実施形態において、患者は、第二の装置Ｄ２０００を、第一の椎体Ｖ１と第二の椎体Ｖ２の間の空間に配置するように、体Ｂに挿入した後は、第一の装置Ｄ１０００を、第一の椎体Ｖ１を通って延び、第二の椎体Ｖ２にかみ合うように、体Ｂに挿入するために、動かされず、向きも変えられない。いくつかの実施形態において、患者の姿勢は、第一の椎体Ｖ１を通って延び、第二の椎体Ｖ２にかみ合うための第一の外科的経路を通った第一の装置Ｄ１０００の挿入、および、第二の外科的経路を通った、第一の椎体Ｖ１と第二の椎体Ｖ２の間の空間に配置するための第二の装置Ｄ２０００の挿入の間、少なくとも部分的に、例えば、手術台、手術ベッド、クッション、くさび等の装置により維持される。いくつかの実施形態において、装置は、例えば、米国特許第７，２３４，１８０号に開示された動的手術台システムである。いくつかの実施形態において、患者は、体Ｂの冠状面ＣＰが、例えば図１Ｌで示されるように、手術室の床Ｆに対して角度α、例えば、鋭角で配置されるような姿勢に維持される。
【０１１２】
いくつかの実施形態において、第一の装置Ｄ１０００および第二の装置Ｄ２０００の少なくとも一つは、例えば、統合型神経モニタリングおよび／またはナビゲーション機能を有する機器のような機器を用いて、体Ｂ内に挿入され得る。いくつかの実施形態において、統合型神経モニタリングおよび／またはナビゲーション機能を有する機器は、第一の装置Ｄ１０００および第二の装置Ｄ２０００の少なくとも一つの軌道を確立し、および／または監視するために使用される。すなわち、統合型神経モニタリングおよび／またはナビゲーション機能を有する機器は、構造がリアルタイムに変化したとしても、第一の装置Ｄ１０００および第二の装置Ｄ２０００の少なくとも一つのために、患者の構造に関して安全な軌道を決定し、および／若しくは選択するのに使用され得、ならびに／または、第一の装置Ｄ１０００および第二の装置Ｄ２０００の少なくとも一つが、選択された軌道を用いて、挿入され、および／または移植されるのを確実にし得る。いくつかの実施形態において、統合型神経モニタリングおよび／またはナビゲーション機能を有する機器は、例えば、ＳｔｅａｌｔｈＳｔａｔｉｏｎ（登録商標）Ｓ７（登録商標）、ＳｔｅａｌｔｈＳｔａｔｉｏｎ  ｉ７（商標）、ＳｔｅａｌｔｈＳｔａｔｉｏｎ  ｉＮａｖ（登録商標）、ＡｘｉＥＭ  Ｅｌｅｃｔｒｏｍａｇｎｅｔｉｃ  Ｎａｖｉｇａｔｉｏｎ  Ｓｙｓｔｅｍ、Ｆｕｓｉｏｎ（商標）ＥＮＴおよび／またはＳｔｅａｌｔｈＶｉｚ（商標）Ｐｌａｎｎｉｎｇ  Ｓｔａｔｉｏｎのような、Ｍｅｄｔｒｏｎｉｃにより販売されているナビゲーションシステムの一部である。いくつかの実施形態において、統合型神経モニタリングおよび／またはナビゲーション機能を有する機器は、医療従事者がより安全で、より正確な処置を行い、処置の侵襲性および危険性を減らし、および／または患者の予後および回復を向上させるのを助ける。
【０１１３】
いくつかの実施形態において、画像化は、第一の装置Ｄ１０００および第二の装置Ｄ２０００の少なくとも一つが、上述のアプローチを用いて切開を通る軌道を確立し、および／または監視するために使用され得る。一つの実施形態において、例えば、Ｍｅｄｔｒｏｎｉｃから入手可能なＯ−アーム外科手術イメージングシステム（Ｏ−ａｒｍ  Ｓｕｒｇｉｃａｌ  Ｉｍａｇｉｎｇ  Ｓｙｓｔｅｍ）のような画像化システムが、術中の画像化を用いて、第一の装置Ｄ１０００および第二の装置Ｄ２０００の少なくとも一つの軌道を確立し、および／または監視するために使用される。Ｏ−アーム外科手術イメージングシステムは、他のものの中で、リアルタイムの、多平面３Ｄ画像（および２Ｄ画像）への素早いアクセスを提供し、例えば脊椎処置のような、処置の独特な作業工程への完全なサポートを提供し、（例えば、Ｘ線への暴露を減らすことにより）手術スタッフへの放射線照射量を最小化し、かつハードウェア設置療法を確認するために可視化を提供し、潜在的にやり直し手術を減らす。
【０１１４】
いくつかの実施形態において、第一の装置Ｄ１０００は、カニューレ状であり得る。いくつかの実施形態において、ガイドワイヤーが、第一の装置Ｄ１０００を、上述のように、椎骨Ｖに対する所定の位置に導くために挿入される。すなわち、ガイドワイヤーは、第一の椎体Ｖ１および／または第二の椎体Ｖ２内に挿入される。ガイドワイヤーは、第一の装置Ｄ１０００のカニューレに挿入される。第一の装置Ｄ１０００は、その後ガイドワイヤーに沿ってスライドし、上述のように、第一の装置Ｄ１０００を、椎骨Ｖにかみ合わせる。
【０１１５】
いくつかの実施形態において、第一の装置Ｄ１０００は、窓のないカニューレ状のねじ、および／または、カニューレに伝達している少なくとも一つの側方窓を有するカニューレ状のねじである。いくつかの実施形態において、材料が、第一の装置Ｄ１０００のカニューレおよび／または窓を通って導入され、材料を第二の装置Ｄ２０００内、例えば、第二の装置Ｄ２０００の開口内に送達するか、材料を第一の椎体Ｖ１および／または第二の椎体Ｖ２に送達する。いくつかの実施形態において、材料は、骨用セメント、例えば、骨形成タンパク質（ＢＭＰ）のような骨成長材料、鎮痛剤および／または抗炎症剤である。いくつかの実施形態において、機器が、第一の装置Ｄ１０００のカニューレおよび／または窓を通って導入され、ナビゲーション性能を提供する、および／または、骨の成長を刺激する。いくつかの実施形態において、機器は、プローブおよび／または電極である。
【０１１６】
本明細書に述べられた処置の完了にあたって、システム１０の手術機器、組み立て部品、および非移植要素は取り除かれ、切開は閉じられる。システム１０の一つまたは複数の要素は、ポリマーのような、放射線透過性の材料から形成され得る。放射線不透過性のマーカーが、Ｘ線、蛍光透視法、ＣＴまたは他の画像化技術下における同定のために含まれ得る。いくつかの実施形態において、本明細書に述べられたような、外科的ナビゲーション技術、顕微手術技術、および画像ガイド技術が、システム１０の助けを借りて、脊椎のゆがみまたは損傷にアクセスし、観察し、および修復するのに使用され得る。いくつかの実施形態において、システム１０は、移植片および／または脊椎構成物を含み得、それらは一つまたは複数のプレート、ロッド、コネクターおよび／または骨固定具を、単一の椎骨レベルまたは複数の椎骨レベルで使用するために含み得る。
【０１１７】
上述の処置が、椎骨Ｖまたは隣接する椎骨Ｖに行われる処置として示され述べられてきたが、本開示はまた、体Ｂの他の領域、例えば、椎骨Ｖ、患者の仙骨Ｓ、患者の腸骨ＩＢ、または上記のいかなる組み合わせにも使用され得ることが想起される。本開示は、複数の侵入点が必要な、体Ｂのいかなる領域でも使用され得る。
【０１１８】
一つの実施形態において、システム１０は、薬剤を含み、システム１０の要素および／または表面の中、上、または周りに、配置され、詰められ、コーティングされ、または層状にされ得る。いくつかの実施形態において、薬剤は、例えば、移植骨同種移植片、異種移植片、自家移植片、骨ペースト、細骨片、Ｓｋｅｌｉｔｅ（登録商標）、および／またはＢＭＰのような骨成長促進材料を含み得、システム１０の要素および／または表面の椎骨への固定を促進する。いくつかの実施形態において、薬剤は、徐放を含む放出のための一つまたは複数の治療用薬剤および／または薬理学用薬剤を含み得、例えば、痛み、炎症、および退化を治療する。そのような実施形態において、チタンコーティングが、これに限られないが、プラズマスプレーコーティングおよび／または、ＰＥＥＫ／チタン移植片を形成するためのチタンプレートの機械的接着を含む、種々の方法により、適用され得る。
【０１１９】
本明細書で述べられた種々の実施形態が、患者の脊椎を外科的に治療するための方法を可能にするために使用され得る。全体的に図１Ｅを参照すると、方法は、第一のアプローチを用いて、開口Ｉ１を通って、第一の装置（例えば、Ｄ１）を挿入する工程、第一の装置Ｄ１が開口Ｉ１を通って挿入される間に、もう一つのアプローチを用いて、もう一つの開口Ｉ３を通って、第二の装置（例えば、椎体間移植片０７）を挿入する工程を含み得、ここで、開口Ｉ１および開口Ｉ３により提供されるアプローチは異なる。本明細書に記載されたように、これらのアプローチは、一つまたは複数の、後方、左側方、右側方、前方、斜め、および後正中を含み得る。斜めアプローチは、これに限られないが、ＯＬＩＦ２５（商標）アプローチ、ＯＬＩＦ５１（商標）アプローチ、およびＯＬＩＦ４１（商標）アプローチ、およびＭｅｄｔｒｏｎｉｃ  Ｓｐｉｎｅから入手可能な機器の使用が含まれ得る。後正中アプローチは、これに限られないが、ＭＩＤＬＦ（登録商標）アプローチ、およびＭｅｄｔｒｏｎｉｃ  Ｓｐｉｎｅから入手可能な機器の使用を含み得る。
【０１２０】
全体的に図１Ｅおよび図１Ｌを参照すると、本明細書に記載された種々方法はまた、さらに、開口（例えば、Ｉ１およびＩ３）を同時にアクセス可能にするように、患者を配置する工程を含み得る。例えば、患者は、種々の機器Ｄ１〜Ｄ７（ここで、Ｄ７は、図１Ｅに全体的に示されるように、椎体間移植片、仮装置、またはインサータを含む）が、手術室にいる種々の手術人員に、同時にアクセス可能になるように、手術室の床Ｆに対して角度をもって配置され得る。したがって、外科医および補助員は、機器（例えば、Ｄ１〜Ｄ６）を操作し、椎体間移植片Ｄ７を挿入しながら、一つまたは複数の椎体を互いに対して個別的にまたは共同して、操作し得る。さらに、機器Ｄ１〜Ｄ６は、椎間板空間を引き離し、および／または広げ、椎間板の空間準備、（前縦靱帯（ＡＬＬ）の切開または部分切開のような）靱帯の遊離、または、（図１Ｅに示されるような）椎体間移植片Ｄ７の挿入と同時の空間の伸延を助け得る。全体的に図１Ｅおよび図１Ｌに示された、患者の選択的な配置は、患者の、伝統的な後方および前方四分円と、右側方および左側方四分円との境界に沿ったおよび／または近い、新しい、手術の「作業平面」の創造も可能にし（図１Ａ参照）、（これに限られないが、Ｍｅｄｔｒｏｎｉｃ  Ｓｐｉｎｅにより開発されたＯＬＩＦ２５（商標）処置、ＯＬＩＦ４１（商標）処置、およびＯＬＩＦ５１（商標）処置を含む）いくつかの斜めアプローチを容易にし得る。
【０１２１】
全体的に図１Ｂおよび図１Ｅを参照すると、いくつかの方法の実施形態において、開口（例えば、図１ＥのＩ１を参照）は、患者の体の冠状面ＣＰを通って延び得る（図１Ｂ参照）。すなわち、開口Ｉ１（および／または図１Ｄに示されたＩ２）を通って確立された外科的経路は、冠状面ＣＰを通って延び得かつ交差し得る。さらに、開口（例えば、図１ＥのＩ３参照）は、患者の体の矢状面ＳＰを通って延び得る（図１Ｂ参照）。すなわち、開口Ｉ３を通って確立された外科的経路は、矢状面ＳＰを通って延び得かつ交差し得る。
【０１２２】
他の実施形態において、開口Ｉ１（および／または図１Ｄに示されたＩ２）は、開口Ｉ１（および／またはＩ２）が患者の体の冠状面ＣＰおよび矢状面ＳＰの両方を通って延び、および／または交差するように、矢状面ＳＰに対して斜めに延び得る。そのようないくつかの実施形態において、開口Ｉ３（図１Ｅ参照）は、患者の体の矢状面ＳＰ（図１Ｂ参照）を通って延び得および／または交差し得る。
【０１２３】
本明細書に記載された種々の方法の実施形態によれば、開口Ｉ１（および／または図１Ｄに示されたＩ２）は、患者の体の冠状面ＣＰ（図１Ｂ参照）に対して、幅広い角度で延び得る。例えば、開口Ｉ１（および／またはＩ２）は、冠状面ＣＰに対して、約９０°〜約−９０°の角度で延び得る。他の実施形態において、開口Ｉ１（および／またはＩ２）は、冠状面ＣＰに対して、約４５°〜−４５°の角度で延び得る。開口（例えば、図１ＥのＩ３参照）はまた、患者の体の矢状面ＳＰ（図１Ｂ参照）に対して、幅広い角度で延び得る。例えば、開口Ｉ３は、矢状面ＳＰ（図１Ｂ参照）に対して、約９０°〜約−９０°の角度で延び得る。他の実施形態において、開口Ｉ３は、矢状面ＳＰに対して、約４５°〜−４５°の角度で延び得る。
【０１２４】
再び全体的に図１Ｅを参照すると、いくつかの実施形態において、第一の装置Ｄ１を挿入する工程は、第一の装置Ｄ１が第一の椎体Ｖ１にかみ合うように、第一の装置Ｄ１（これに限られないが、延長器を有するシュタインマンピンまたは骨ねじを含み得る）を配置する工程を含む。いくつかのそのような実施形態において、方法は、さらに、第一の装置および第二の装置（例えば、Ｄ１およびＤ２）の少なくとも一つを、第一の椎体Ｖ１に対して、第一の椎体Ｖ１の第二の椎体Ｖ２に対する位置を調節するように、動かす工程を含む。例えば、外科医は、開口Ｉ３を介してディスク空間を同時に修正し、および／または、開口Ｉ３を介して椎体間移植片（例えば、図１Ｅ〜図１ＧのＤ７参照）を同時に挿入する機会を持ちながら、Ｖ１とＶ２の間のディスク空間をより良く引き離すために、椎体Ｖ１を操作するかもしれない。
【０１２５】
一般的に図１Ｅに示された、いくつかの方法の実施形態において、第一の装置は、第一の操作機器Ｄ１および第二の操作機器Ｄ６を含み得る。そのような実施形態において、第一の装置を挿入する工程は、（１）第一の操作機器Ｄ１が第一の椎体Ｖ１にかみ合うように、開口Ｉ１を通って、第一の操作機器を挿入する工程、および（２）第二の操作機器Ｄ６が第二の椎体Ｖ２にかみ合うように、開口Ｉ１を通って、第二の操作機器Ｄ６を挿入する工程を含み得る。方法はさらに、第一の操作機器Ｄ１および第二の操作機器Ｄ６を、第一の椎体Ｖ１および第二の椎体Ｖ２を互いに対して動かすように操作する工程を含み得る。例えば、外科医は、機器Ｄ１およびＤ６（これに限られないが、切り離される延長器を有するシュタインマンピンおよび骨ねじを含む、種々の一時的または永続的な移植片を含み得る）を使用し、第一の椎体Ｖ１および第二の椎体Ｖ２を操作し、ディスク空間を引き離し得る。いくつかの実施形態において、外科医はまた、機器Ｄ１およびＤ６を用いて（脊柱操作（ｖｅｒｔｅｂｒａｌ  ｃｏｌｕｍｎ  ｍａｎｉｐｕｌａｔｉｏｎ：ＶＣＭ）の形体を使用して）、椎体Ｖ１および椎体Ｖ２を互いに対して回転させ、および／または、減捻させ（ｄｅ−ｒｏｔａｔｅ）、奇形を直し得る。さらに、種々の圧縮ねじの実施形態（例えば、図４Ａ〜図４Ｃ参照）および複数椎体レベルの実施形態（例えば、図３Ａ〜図３Ｓ参照）が、固定および／または操作するために、複数の椎骨レベルを一緒に縛りまたは結合して、単一の機能的脊柱単位（Ｆｕｎｃｔｉｏｎａｌ  Ｓｐｉｎａｌ  Ｕｎｉｔ：ＦＳＵ）を形成するために使用され得る。したがって、例えば、本明細書に記載された種々の装置Ｄ１およびＤ６が、ＦＳＵ全体を、もう一つのＦＳＵに対して操作するために使用され得る。さらに、本明細書に記載された種々の実施形態が、大規模なＶＣＭ処置のために使用され得、胸椎の一部が、頚椎または腰椎に対して、脊柱に沿って一般的に延びる軸の周りに操作される（およびその逆もある）。本明細書に記載された方法を用いた大規模ＦＳＵの構成は、そのような処置を可能に、および／または、容易にし得る。
【０１２６】
再び、図１Ｅ〜図１Ｇを参照すると、いくつかの実施形態において、第二の装置Ｄ７は、（これに限られないが、Ｍｅｄｔｒｏｎｉｃから入手可能であるＣＬＹＤＥＳＤＡＬＥ（登録商標）移植片のような椎体間移植片を含む）脊椎移植片を含み得る。そのような実施形態において、方法はさらに、脊椎移植片Ｄ７を、第一の椎体Ｖ１および第二の椎体Ｖ２の間に挿入する工程を含む、第二の装置を挿入する工程を含み得る。他の実施形態において、第二の装置は、第一の椎体Ｖ１および第二の椎体Ｖ２の操作が、切開（例えば、図１ＥのＩ１、Ｉ２を参照）を通って行われている間に、切開Ｉ３を通って挿入されるのに好ましい、種々の手術機器を含み得る。第二の装置は、これに限られないが、椎間板切除装置、ディスク準備機器、シェーバー、キュレット、骨鉗子、ケリソンパンチ（Ｋｅｒｒｉｓｏｎ  ｐｕｎｃｈ）、仮装置、伸延器、円柱状ピボットまたは支点装置、（Ｍｅｄｔｒｏｎｉｃ  ＳＣＩＳＳＯＲ  ＪＡＣＫ（登録商標）などの）伸長可能な伸延器、インサータを含みうる機器を含み得る。第一の装置および第二の装置（Ｄ１〜Ｄ７）のいかなる種々の配列もまた、本明細書中更に記載され、かつ、ナビゲーション機器Ｎ（図１Ｑ参照）と関連して全体的に示されるように、外科的ナビゲーション技術を用いて挿入され得る。
【０１２７】
次に、図２Ｄを全体的に参照すると、いくつかの実施形態において、二つの開口Ｉ１およびＩ３（図１Ｅ参照）を介して挿入された第一の装置と第二の装置は、軸１２、軸１８を有する二つの骨ねじを含み得る。軸１２、軸１８を有する骨ねじは、両方とも、単一の椎体Ｖ１に挿入され得、軸１２、軸１８を有するねじが、ヴォルフの法則に従って、骨の成長を促進するように、椎体Ｖ１の内側に、ストレスおよび／または圧縮力を適用するように、相互に作用し、および／または近位に近づく。いくつかの実施形態において、第一の骨ねじ１２のねじ状の軸は、軸１８を有する第二の骨ねじのねじ状の軸にかみ合う。軸１２、軸１８を有する骨ねじの少なくとも一つは、また、軸１２、軸１８を有するねじが、材料、機器、および／または電極を、椎体Ｖ１内に運ぶために使用され得るように、カニューレ状であり、および／または有窓であり得る。例えば、カニューレ状の骨ねじ（例えば、図２Ｄ参照）は、骨成長材料、骨用セメント、骨ペースト、および／または鎮痛剤を、椎体Ｖ１、椎体Ｖ２内に運ぶように使用され得る。他の実施形態において、軸１２、軸１８を有するカニューレ状の骨ねじはまた、カニューレを通って、椎体Ｖ１または椎体Ｖ２（または、本明細書で記載された種々の処置を用いて治療される、いかなる他の骨構造）内に、刺激用電極を導入するために使用され得る。刺激電極は、神経保全監視（ｎｅｕｒａｌ  ｉｎｔｅｇｒｉｔｙ  ｍｏｎｉｔｏｒｉｎｇ：ＮＩＭ）のためのプローブまたは、椎体内で骨の成長を促進するのに使用される、刺激電極を含み得る。
【０１２８】
図１Ｅ〜図１Ｇに全体的に示された第一の装置Ｄ１、Ｄ２、Ｄ３、Ｄ４、Ｄ５、Ｄ６および／または第二の装置Ｄ７のいずれも、一つまたは複数の「刺し傷」状の切開を通って経皮的に挿入され得ることも、留意されるべきである。例えば、装置Ｄ１および装置Ｄ６が、図１Ｅに単一の開口Ｉ１を通って挿入されていることが示されている一方、装置Ｄ１〜Ｄ７のいずれの一つも、選択された外科的アプローチに沿って、別々の切開または開口の中に導入され得る。
【０１２９】
（図１Ｌに示された、角度のついた姿勢の患者における、装置Ｄ１、装置Ｄ２、装置Ｄ３、装置Ｄ６の挿入のような）外科手術の配置にある患者に、第一の外科的処置を行う工程、および患者を外科的姿勢から動かすことなしに、（側方装置Ｄ４、Ｄ５の挿入のような）第二の外科的処置を行う工程を含む、患者の脊椎を外科的に治療する方法も、開示される。第一の外科的処置と第二の外科的処置は、椎間板切除術、椎弓切開、椎弓切除術、直接除圧術、間接除圧術、前縦靱帯切開、移植片挿入、試験片挿入、移植片挿入を容易にするための椎骨の伸延、ディスク除去を容易にするための椎骨の伸延、支点の視覚化および創造を容易にするための椎骨の伸延からなる群から選択され得る。いくつかの実施形態において、第一の外科的処置は、第二の外科的処置とは異なる。例えば、第一の外科的処置は、それぞれ、装置Ｄ１および装置Ｄ６を使用した、椎体Ｖ１および椎体Ｖ２の引き離す工程を含み得る一方、第二の外科的処置は、椎体間移植片Ｄ７（例えば、図１Ｋを参照）の挿入する工程を含み得る。
【０１３０】
種々の修正および／または組み合わせが、本明細書に開示された実施形態になされ得ることが理解されるであろう。したがって、上記の記載は、限定するものと解釈されるべきでなく、単に、種々の実施形態の例として解釈されるべきである。当業者は、本明細書に添付された特許請求の範囲の範囲および精神内において、他の修正が思い浮かぶであろう。
【図１Ａ】
0006475762.tif 000002
【図１Ｂ】
0006475762.tif 000003
【図１Ｃ】
0006475762.tif 000004
【図１ＣＣ】
0006475762.tif 000005
【図１ＣＣＣ】
0006475762.tif 000006
【図１Ｄ】
0006475762.tif 000007
【図１Ｅ】
0006475762.tif 000008
【図１Ｆ】
0006475762.tif 000009
【図１Ｇ】
0006475762.tif 000010
【図１Ｈ】
0006475762.tif 000011
【図１Ｉ】
0006475762.tif 000012
【図１Ｊ】
0006475762.tif 000013
【図１Ｋ】
0006475762.tif 000014
【図１Ｌ】
0006475762.tif 000015
【図１Ｍ】
0006475762.tif 000016
【図１Ｎ】
0006475762.tif 000017
【図１Ｏ】
0006475762.tif 000018
【図１Ｐ】
0006475762.tif 000019
【図１Ｑ】
0006475762.tif 000020
【図２Ａ】
0006475762.tif 000021
【図２Ｂ】
0006475762.tif 000022
【図２Ｃ】
0006475762.tif 000023
【図２Ｄ】
0006475762.tif 000024
【図２Ｅ】
0006475762.tif 000025
【図２Ｆ】
0006475762.tif 000026
【図２Ｇ】
0006475762.tif 000027
【図２Ｈ】
0006475762.tif 000028
【図２Ｉ】
0006475762.tif 000029
【図２Ｊ】
0006475762.tif 000030
【図２Ｋ】
0006475762.tif 000031
【図２Ｌ】
0006475762.tif 000032
【図２Ｍ】
0006475762.tif 000033
【図３Ａ】
0006475762.tif 000034
【図３Ｂ】
0006475762.tif 000035
【図３Ｃ】
0006475762.tif 000036
【図３Ｄ】
0006475762.tif 000037
【図３Ｅ】
0006475762.tif 000038
【図３Ｆ】
0006475762.tif 000039
【図３Ｇ】
0006475762.tif 000040
【図３Ｈ】
0006475762.tif 000041
【図３Ｉ】
0006475762.tif 000042
【図３Ｊ】
0006475762.tif 000043
【図３Ｋ】
0006475762.tif 000044
【図３Ｌ】
0006475762.tif 000045
【図３Ｍ】
0006475762.tif 000046
【図３Ｎ】
0006475762.tif 000047
【図３Ｏ】
0006475762.tif 000048
【図３Ｐ】
0006475762.tif 000049
【図３Ｑ】
0006475762.tif 000050
【図３Ｒ】
0006475762.tif 000051
【図３Ｓ】
0006475762.tif 000052
【図４Ａ】
0006475762.tif 000053
【図４Ｂ】
0006475762.tif 000054
【図４Ｃ】
0006475762.tif 000055